(57)【要約】【課題】信頼性の高い遊技機管理を実施することができる遊技機の管理システムを提供すること。【解決手段】遊技ホールＨ１に設置されているパチンコ機１０の主制御装置９２には、証紙ラベル１３８及びＩＣタグ１６３が取り付けられており、リーダ装置３０１を用いることにより、非接触の状態でそれら証紙ラベル１３８及びＩＣタグ１６３からＩＤ情報を読み取ることができる。また、各製造メーカＭ１，Ｍ２，Ｍ３，・・・にはデータサーバ３１１が設けられており、当該データサーバ３１１には管理データが記憶されている。当該構成において、パチンコ機１０が中古品として流通することとなる場合には、読み取られた各種ＩＤ情報と管理データとの照合がデータサーバ３１１において行われ、当該パチンコ機１０が正規のものであるか否かが判断される。【選択図】      図２１
2011000390.tif 000002
【特許請求の範囲】
【請求項１】
遊技場に設置された遊技機又は当該遊技機に搭載された特典の付与に係る遊技機部品を管理対象とし、個別に付与された識別情報を有する識別用部材を前記管理対象に取り付けておくとともに、前記識別用部材の識別情報を情報読み取り装置により読み取り可能とした遊技機の管理システムにおいて、
前記識別用部材の識別情報を有する管理データを、前記管理対象が設置されている遊技場以外で保管するデータ保管手段を備え、
当該データ保管手段は、前記管理対象が既に設置されている遊技場から他の遊技場へ再流通することとなる場合又は再流通した場合に、前記識別用部材から前記情報読み取り装置により読み取られた識別情報と、前記管理データとを照合することに基づき、流通対象となっている前記管理対象が正規のものであるか否かを判断することを特徴とする遊技機の管理システム。
【請求項２】
前記識別用部材から前記情報読み取り装置により読み取られた識別情報を前記データ保管手段に送信する送信手段を備えていることを特徴とする請求項１に記載の遊技機の管理システム。
【請求項３】
前記送信手段は、前記管理対象が前記再流通することとなる場合に、前記既に設置されている遊技場において前記識別用部材から前記情報読み取り装置により読み取られた識別情報を前記データ保管手段に送信することを特徴とする請求項２に記載の遊技機の管理システム。
【請求項４】
前記管理データでは、前記管理対象が設置されている遊技場の情報と対応付けて前記識別情報が設定されており、
前記送信手段は、前記管理対象が前記再流通することとなる場合又は再流通した場合に、前記識別用部材から前記情報読み取り装置により読み取られた識別情報を前記データ保管手段に出力するための第１出力手段と、流通先の遊技場の情報を出力するための第２出力手段と、を備え、
さらに、前記送信手段により前記識別情報とともに前記流通先の遊技場の情報が送信された場合に、前記管理データにおける当該識別情報に対応した前記遊技場の情報を更新する更新手段を備えていることを特徴とする請求項２又は３に記載の遊技機の管理システム。
【請求項５】
前記送信手段は、前記再流通に際しての前記判断のために前記識別情報が送信される前記データ保管手段への送信経路に、前記遊技場及び前記データ保管手段のいずれでもない中間機関が含まれるように、前記識別情報の送信を行うことを特徴とする請求項２乃至４のいずれか１に記載の遊技機の管理システム。
【請求項６】
前記送信手段は、前記管理対象が設置されている遊技場において当該管理対象を正常な状態で使用するために前記識別用部材から前記情報読み取り装置により読み取られた識別情報を前記データ保管手段に送信する場合、前記中間機関を含まない他の送信経路により前記識別情報の送信を行うことを特徴とする請求項５に記載の遊技機の管理システム。
【請求項７】
前記データ保管手段において前記管理対象が正規のものであると判断された旨の情報を返信するための返信手段を有することを特徴とする請求項１乃至６のいずれか１に記載の遊技機の管理システム。
【請求項８】
前記データ保管手段において前記管理対象が正規のものであると判断された場合に付与される確認証明手段を有することを特徴とする請求項１乃至６のいずれか１に記載の遊技機の管理システム。
【請求項９】
前記確認証明手段は、その付与の対象となった前記再流通と、当該確認証明手段の付与に係る前記管理対象に対して行われる他の再流通とを区別することが可能な情報を有することを特徴とする請求項８に記載の遊技機の管理システム。
【発明の詳細な説明】
【技術分野】
【０００１】
本発明は、遊技機の管理システムに関するものである。
【背景技術】
【０００２】
パチンコ遊技機やスロットマシン等の遊技機は、遊技制御処理を実行するＣＰＵ、遊技制御プログラムが記憶されたＲＯＭ、遊技の進行により発生する各種データを一時的に記憶するＲＡＭ等の各種電子部品が実装された制御基板を備えている。そして、ＲＯＭに記憶された遊技制御プログラムに従って、ＣＰＵにより遊技機に搭載されている各種遊技機器が制御され、一連の遊技が実行される。
【０００３】
この種の遊技機は製造メーカから遊技ホールに出荷され、当該遊技ホールにおいて用いられる。また、遊技ホールに一旦出荷された遊技機が、中古品として他の遊技ホールに流通していくこともある。
【０００４】
ここで、所定の遊技ホールにおいて使用されている段階で、上記制御基板や、当該制御基板が基板ボックスに収容されてなる制御装置が不正なものに交換されるとともに、その状態の遊技機が中古品として流通することが考えられる。そして、その遊技機が流通先の遊技ホールにおいてそのまま使用されると、当該遊技ホールに多大な不利益を及ぼすおそれがある。これに対して、制御基板又は基板ボックスに、リーダ装置により読み取りが可能な固有の識別情報を有する識別用部材を取り付ける構成が考えられる。当該識別用部材として、例えば特許文献１には、識別情報が記憶されたＩＣチップ及びアンテナ部材を含む電子タグを取り付けた構成が開示されている。
【０００５】
この場合、遊技ホールにおいてリーダ装置により識別情報の読取作業を行うとともに、遊技ホールに予め用意されている管理用の識別情報との照合を通じて不正の有無を確認した場合には、上記のような不正な交換に対して遊技ホールにて対処することが可能となる。したがって、不正が施された状態の遊技機がそのまま中古品として流通し、使用されてしまう可能性が低減されるものと期待される。
【先行技術文献】
【特許文献】
【０００６】
【特許文献１】特開２００５−１４３６４１号公報
【発明の概要】
【発明が解決しようとする課題】
【０００７】
しかしながら、上記識別用部材を用いた不正対策が施されていても、未だに不正行為が行われることが考えられる。例えば、制御基板などの不正な交換を行うとともに、遊技ホールに設けられた上記管理用の識別情報の改ざんも合わせて行う行為が想定される。
【０００８】
本発明は、上記例示した事情等に鑑みてなされたものであり、信頼性の高い遊技機管理を実施することができる遊技機の管理システムを提供することを目的とするものである。
【課題を解決するための手段】
【０００９】
以下、上記課題を解決するための手段について記載する。
【００１０】
請求項１記載の発明は、遊技場に設置された遊技機又は当該遊技機に搭載された特典の付与に係る遊技機部品を管理対象とし、個別に付与された識別情報を有する識別用部材を前記管理対象に取り付けておくとともに、前記識別用部材の識別情報を情報読み取り装置により読み取り可能とした遊技機の管理システムにおいて、
前記識別用部材の識別情報を有する管理データを、前記管理対象が設置されている遊技場以外で保管するデータ保管手段を備え、
当該データ保管手段は、前記管理対象が既に設置されている遊技場から他の遊技場へ再流通することとなる場合又は再流通した場合に、前記識別用部材から前記情報読み取り装置により読み取られた識別情報と、前記管理データとを照合することに基づき、流通対象となっている前記管理対象が正規のものであるか否かを判断することを特徴とする。
【発明の効果】
【００１１】
信頼性の高い遊技機管理を実施することが可能となる。
【図面の簡単な説明】
【００１２】
【図１】パチンコ機の構成を示す前方から見た斜視図。
【図２】遊技機本体の主要な構成を分解して示す分解斜視図。
【図３】遊技盤の構成を示す正面図。
【図４】内枠の構成を示す背面図。
【図５】（ａ）主制御装置ユニットの構成を示す斜視図、（ｂ）主制御装置ユニットの構成を示す側面図。
【図６】主制御装置ユニットの構成を示す分解斜視図。
【図７】（ａ）主制御装置の構成を示す斜視図、（ｂ）主制御装置の構成を示す側面図。
【図８】主制御装置を表面側から見た分解斜視図。
【図９】主制御装置を裏面側から見た分解斜視図。
【図１０】図７（ｂ）のＡ―Ａ線断面図。
【図１１】（ａ），（ｂ）阻止構造による分離阻止の作用を説明するための説明図。
【図１２】（ａ）封印シールの構成を示す正面図、（ｂ）封印シールの構成を示す裏面図。
【図１３】封印シールの構成を示す断面図。
【図１４】主制御装置において封印シールが貼り付けられた領域及びその周辺を拡大して示す拡大斜視図。
【図１５】貼付領域における封印シールの位置関係を説明するための説明図。
【図１６】（ａ），（ｂ）それぞれ異なる方向から見たカバー部材の斜視図。
【図１７】カバー部材が主制御装置に取り付けられている様子を説明するための説明図。
【図１８】主制御装置においてカバー部材が取り付けられた部分の断面図。
【図１９】パチンコ機の電気的構成を示すブロック図。
【図２０】（ａ）製造メーカＭ１のラベルＩＤ情報及びタグＩＤ情報を説明するための説明図、（ｂ）製造メーカＭ２のラベルＩＤ情報及びタグＩＤ情報を説明するための説明図。
【図２１】日常的に行われる管理の概要を説明するための概略図。
【図２２】ホール側リーダ装置の構成を説明するための概略図。
【図２３】遊技ホール側のパチンコ機管理処理を示すフローチャート。
【図２４】認証用情報を説明するための説明図。
【図２５】管理データを説明するための説明図。
【図２６】メーカ側のパチンコ機管理処理を示すフローチャート。
【図２７】中古品の流通に際して行われる管理の概要を説明するための概略図。
【図２８】（ａ）パチンコ機１０から読み取ったＩＤ情報が送信される概要を説明するための説明図、（ｂ）販社側の流通確認用処理を示すフローチャート。
【図２９】メーカ側の流通確認用処理を示すフローチャート。
【図３０】確認証明シールの構成を示す正面図。
【発明を実施するための形態】
【００１３】
以下、遊技機の一種であるパチンコ遊技機（以下、「パチンコ機」という）の構成を、図面に基づいて詳細に説明する。図１はパチンコ機１０を前方から見た斜視図、図２はパチンコ機１０を構成する遊技機本体１２の分解斜視図である。なお、図２では便宜上パチンコ機１０の遊技領域内の構成を省略している。
【００１４】
パチンコ機１０は、当該パチンコ機１０の外殻を形成する外枠１１と、この外枠１１に対して前方に回動可能（開閉可能）に取り付けられた遊技機本体１２とを有している。なお、パチンコ機１０において外枠１１は必須の構成ではなく、遊技場の島設備に外枠１１が備え付けられた構成としてもよい。
【００１５】
外枠１１は、木製の板材を四辺に連結し構成されるものであって矩形枠状をなしている。パチンコ機１０は、外枠１１を島設備に取り付け固定することにより、遊技場に設置される。なお、外枠１１を合成樹脂やアルミニウム等の金属によって形成することも可能である。
【００１６】
外枠１１の一側部に遊技機本体１２が回動可能に支持されている。具体的には、図１に示すように、外枠１１における上枠部と左枠部との連結部分に上側支持用金具２１が固定されており、さらに外枠１１における下枠部と左枠部との連結部分に下側支持用金具２２が設けられている。これら上側支持用金具２１及び下側支持用金具２２により支持機構が構成され、当該支持機構によって外枠１１に対して遊技機本体１２が回動可能に支持されている。
【００１７】
また、遊技機本体１２には、図２に示すように、その回動先端部に施錠装置２３が設けられており、遊技機本体１２を外枠１１に対して閉鎖状態とした場合には施錠装置２３の鉤部材２４が外枠１１の右枠部の内側面に設けられた鉤受け部にて受けられ、遊技機本体１２の開放が阻止される。一方、パチンコ機１０前面にて露出させて設けられたシリンダ錠２５に対して解錠キーを用いて解錠操作を行うことにより、外枠１１の鉤受け部にて鉤部材２４が受けられた状態が解除され、遊技機本体１２の外枠１１からの開放が可能となる。なお、施錠装置２３は、後述する内枠１３と前扉枠１４との施錠を行う機能も有している。
【００１８】
遊技機本体１２は、ベース体としての内枠１３と、その内枠１３の前方に配置される前扉枠１４と、内枠１３の後方に配置される裏パックユニット１５とを備えている。遊技機本体１２のうち内枠１３が外枠１１に対して回動可能（開閉可能）に支持されている。詳細には、正面視で左側を回動基端側（開閉基端側）とし右側を回動先端側（開閉先端側）として内枠１３が前方へ回動可能とされている。
【００１９】
内枠１３には、前扉枠１４が回動可能（開閉可能）に支持されており、正面視で左側を回動基端側（開閉基端側）とし右側を回動先端側（開閉先端側）として前方へ回動可能とされている。また、内枠１３には、裏パックユニット１５が回動可能（開閉可能）に支持されており、正面視で左側を回動基端側（開閉基端側）とし右側を回動先端側（開閉先端側）として後方へ回動可能とされている。
【００２０】
次に、遊技機本体１２の前面側の構成について説明する。
【００２１】
図２に示すように、内枠１３は、外形が外枠１１とほぼ同一形状をなす樹脂ベース３１を主体に構成されている。樹脂ベース３１の中央部には略楕円形状の窓孔３２が形成されている。樹脂ベース３１には遊技盤３３が着脱可能に取り付けられている。遊技盤３３は合板よりなり、遊技盤３３の前面に形成された遊技領域が樹脂ベース３１の窓孔３２を通じて内枠１３の前面側に露出した状態となっている。
【００２２】
ここで、遊技盤３３の構成を図３に基づいて説明する。遊技盤３３には、ルータ加工が施されることによって前後方向に貫通する大小複数の開口部が形成されている。各開口部には一般入賞口３４，可変入賞装置３５，作動口３６，スルーゲート３７及び可変表示ユニット３８等がそれぞれ設けられている。一般入賞口３４、可変入賞装置３５及び作動口３６に遊技球が入ると、それが図示しない検知センサにより検知され、その検知結果に基づいて所定数の賞球の払い出しが実行される。その他に、遊技盤３３の最下部にはアウト口３９が設けられており、各種入賞口等に入らなかった遊技球はアウト口３９を通って遊技領域から排出される。また、遊技盤３３には、遊技球の落下方向を適宜分散、調整等するために多数の釘４０が植設されていると共に、風車等の各種部材（役物）が配設されている。
【００２３】
可変表示ユニット３８には、作動口３６への入賞をトリガとして図柄を可変表示する図柄表示装置４１が設けられている。また、可変表示ユニット３８には、図柄表示装置４１を囲むようにしてセンターフレーム４２が配設されている。センターフレーム４２の上部には、第１特定ランプ部４３及び第２特定ランプ部４４が設けられている。また、センターフレーム４２の下部及び上部にはそれぞれ保留ランプ部４５，４６が設けられている。下側の保留ランプ部４５は図柄表示装置４１及び第１特定ランプ部４３に対応しており、遊技球が作動口３６を通過した回数は最大４回まで保留され保留ランプ部４５の点灯によってその保留個数が表示されるようになっている。上側の保留ランプ部４６は第２特定ランプ部４４に対応しており、遊技球がスルーゲート３７を通過した回数は最大４回まで保留され保留ランプ部４６の点灯によってその保留個数が表示されるようになっている。
【００２４】
図柄表示装置４１は、液晶ディスプレイを備えた液晶表示装置として構成されており、表示制御装置により表示内容が制御される。図柄表示装置４１には、例えば左、中及び右に並べて図柄が表示され、これらの図柄が上下方向にスクロールされるようにして変動表示されるようになっている。そして、予め設定されている有効ライン上に所定の組合せの図柄が停止表示された場合には、特別遊技状態（以下、大当たりという）が発生することとなる。
【００２５】
遊技結果表示部（又は抽選結果表示部）として設けられた第１特定ランプ部４３では、作動口３６への入賞をトリガとして所定の順序で発光色の切り替えが行われ、予め定められた色で停止表示された場合には大当たりが発生する。また、第２特定ランプ部４４では、遊技球のスルーゲート３７の通過をトリガとして所定の順序で発光色の切り替えが行われ、予め定められた色で停止表示された場合には作動口３６に付随する電動役物が所定時間だけ開放状態となる。なお、これら第１特定ランプ部４３及び第２特定ランプ部４４の制御は、後述する主制御装置により行われる。
【００２６】
可変入賞装置３５は、通常は遊技球が入賞できない又は入賞し難い閉状態になっており、大当たりの際に遊技球が入賞しやすい所定の開放状態に切り換えられるようになっている。可変入賞装置３５の開放態様としては、所定時間（例えば３０秒間）の経過又は所定個数（例えば１０個）の入賞を１ラウンドとして、複数ラウンド（例えば１５ラウンド）を上限として可変入賞装置３５が繰り返し開放されるものが一般的である。なお、可変入賞装置３５の駆動制御は、後述する主制御装置により行われる。
【００２７】
遊技盤３３には、内レール部４７と外レール部４８とが取り付けられており、これら内レール部４７と外レール部４８とにより誘導レールが構成され、遊技球発射機構５０から発射された遊技球が遊技領域の上部に案内されるようになっている。遊技球発射機構５０は、図２に示すように、樹脂ベース３１における窓孔３２の下方に取り付けられており、前扉枠１４に設けられたハンドル装置５９が操作されることにより遊技球の発射動作が行われる。
【００２８】
内枠１３の前面側全体を覆うようにして前扉枠１４が設けられている。前扉枠１４には、図１等に示すように、遊技領域のほぼ全域を前方から視認することができるようにした窓部５５が形成されている。窓部５５は、略楕円形状をなし、窓パネル５６が嵌め込まれている。窓パネル５６は、ガラスによって無色透明に形成されているが、これに限定されることはなく合成樹脂によって無色透明に形成してもよい。窓部５５の周囲には、各種ランプ等の発光手段が設けられている。また、左上及び右上の位置には、遊技状態に応じた効果音などが出力されるスピーカ部が設けられている。
【００２９】
前扉枠１４における窓部５５の下方には、手前側へ膨出した上側膨出部５７と下側膨出部５８とが上下に並設されている。上側膨出部５７内側には上方に開口した上皿５７ａが設けられており、下側膨出部５８内側には同じく上方に開口した下皿５８ａが設けられている。上皿５７ａは、後述する払出装置より払い出された遊技球を一旦貯留し、一列に整列させながら後述する遊技球発射機構側へ導くための機能を有する。また、下皿５８ａは、上皿５７ａ内にて余剰となった遊技球を貯留する機能を有する。
【００３０】
次に、遊技機本体１２の背面側の構成について説明する。図４は、内枠１３の背面図である。
【００３１】
図４に示すように、内枠１３（遊技盤３３）の背面には、主制御装置ユニット６１及び音声ランプ制御装置ユニット６５が搭載されている。これらのうち主制御装置ユニット６１の具体的な構成については、後に詳細に説明する。
【００３２】
音声ランプ制御装置ユニット６５は、音声ランプ制御装置６６と、取付台６７とを具備する構成となっており、取付台６７上に音声ランプ制御装置６６が装着されている。音声ランプ制御装置６６は、主制御装置ユニット６１に搭載された主制御装置９２からの指示に従い音声やランプ表示、及び図示しない表示制御装置の制御を司る音声ランプ制御基板を具備しており、音声ランプ制御基板が透明樹脂材料等よりなる基板ボックス６８に収容されて構成されている。
【００３３】
裏パックユニット１５は、図２に示すように、裏パック７１を備えており、当該裏パック７１に対して、払出機構部７２及び制御装置集合ユニット７３が取り付けられている。なお、裏パック７１は透明性を有する合成樹脂により形成されており、主制御装置ユニット６１の一部や音声ランプ制御装置ユニット６５などを後方から覆うように、後方に突出し略直方体形状をなす保護カバー部７５を有している。
【００３４】
払出機構部７２は、保護カバー部７５を迂回するようにして配設されており、遊技場の島設備から供給される遊技球が逐次補給されるタンク７７と、当該タンク７７に貯留された遊技球を払い出すための払出装置７８と、を備えている。払出装置７８より払い出された遊技球は、当該払出装置７８の下流側に設けられた図示しない払出通路を通じて、上皿５７ａ又は下皿５８ａに排出される。また、払出機構部７２には、例えば交流２４ボルトの主電源が供給されるとともに、電源のＯＮ操作及びＯＦＦ操作を行うための電源スイッチが設けられた裏パック基板が搭載されている。
【００３５】
制御装置集合ユニット７３は、払出制御装置８２と電源及び発射制御装置８３とを備えている。これら払出制御装置８２と電源及び発射制御装置８３とは、払出制御装置８２がパチンコ機１０後方となるように前後に重ねて配置されている。
【００３６】
払出制御装置８２は、払出装置７８を制御する払出制御基板が基板ボックス内に収容されて構成されている。電源及び発射制御装置８３は、電源及び発射制御基板が基板ボックス内に収容されて構成されており、当該基板により、各種制御装置等で要する所定の電力が生成されて出力され、さらに遊技者によるハンドル装置５９の操作に伴う遊技球の打ち出しの制御が行われる。また、本パチンコ機１０は各種データの記憶保持機能を有しており、万一停電が発生した際でも停電時の状態を保持し、停電からの復帰の際には停電時の状態に復帰できるようになっている。
【００３７】
次に、主制御装置ユニット６１の構成を、図５及び図６を参照しながら説明する。図５（ａ）は主制御装置ユニット６１の斜視図、図５（ｂ）は主制御装置ユニット６１の側面図、図６は主制御装置ユニット６１の分解斜視図である。
【００３８】
主制御装置ユニット６１は、合成樹脂製の取付台９１と、当該取付台９１に搭載される主制御装置９２と、主制御装置９２の一部を外側から被包するカバー部材９３と、を備えている。当該主制御装置ユニット６１は、遊技盤３３と主制御装置９２との間に取付台９１が挟まれ、主制御装置９２がパチンコ機１０後方を向くようにして、遊技盤３３の裏面に搭載されている。
【００３９】
取付台９１は、図６に示すように、主制御装置９２が搭載される搭載領域９５が形成されたベース部９６と、当該ベース部９６を遊技盤３３の裏面に対して回動可能な状態で支持させる支持アーム９７と、を有し、これらが一体形成されてなる。
【００４０】
支持アーム９７はベース部９６において搭載領域９５とは反対側の面よりも遊技盤３３側に延出させて形成されており、その延出領域の先端部に軸部９８が一体形成されている。当該軸部９８が遊技盤３３の裏面に設けられた支持金具９９に対して回転可能な状態で支持されていることにより、主制御装置ユニット６１が遊技盤３３に支持されている。取付台９１において支持アーム９７が形成された側とは反対側の端部には保持操作及び保持解除操作を可能とする図示しない保持具が設けられており、ベース部９６の搭載領域９５とは反対側の面が遊技盤３３の裏面に対向する閉鎖位置に取付台９１を配置した状態で保持具に対して保持操作を行うことで当該保持具が遊技盤３３に保持され、当該閉鎖位置において取付台９１が保持される。また、当該保持具に対して保持解除操作が行われることにより、取付台９１を開放位置に向けて回動させることが可能となる。
【００４１】
ここで、支持アーム９７が上記のとおりベース部９６において搭載領域９５とは反対側の面よりも遊技盤３３側に延出させて形成されているとともに、その延出領域の先端に軸部９８が設けられていることにより、取付台９１が閉鎖位置に配置されている状態においてベース部９６と遊技盤３３とは所定の距離離間されている。また、ベース部９６は所定の厚み寸法を有している。したがって、取付台９１に搭載された主制御装置９２は遊技盤３３の表面からパチンコ機１０後方に所定の距離離間されているとともに、当然のことながら、その所定の距離よりも大きな距離分、前扉枠１４の表面に対して主制御装置９２はパチンコ機１０後方に離間されている。
【００４２】
遊技盤３３の裏面において主制御装置ユニット６１の上方には、図５（ｂ）に示すように、可変表示ユニット３８及び音声ランプ制御装置ユニット６５が搭載されており、主制御装置９２が下方となるようにして音声ランプ制御装置６６と主制御装置９２とは上下に並設されている。また、遊技盤３３を基準とした主制御装置９２のパチンコ機１０後方への張り出し量は、音声ランプ制御装置６６のパチンコ機１０後方への張り出し量と略同一、より詳細には若干少ない程度となっているが、両張り出し量が同一である構成としてもよい。この場合、主制御装置９２の長さ方向の略全体が音声ランプ制御装置６６の下方への投影範囲内に含まれている。但し、これに限定されることはなく、主制御装置９２の長さ方向の全体が音声ランプ制御装置６６の下方への投影範囲内に含まれる構成としてもよい。
【００４３】
裏パックユニット１５が内枠１３に対して閉鎖位置に配置されている状態において、主制御装置ユニット６１の下方には、図５（ｂ）に示すように、裏パックユニット１５に設けられた制御装置集合ユニット７３が配置されており、主制御装置９２が上方となるようにして主制御装置９２と払出制御装置８２とは上下に並設されている。また、遊技盤３３を基準とした主制御装置９２のパチンコ機１０後方への張り出し量は、払出制御装置８２のパチンコ機１０後方への張り出し量と略同一、より詳細には若干少ない程度となっているが、両張り出し量が同一である構成としてもよい。この場合、主制御装置９２の長さ方向の略全体が払出制御装置８２の上方への投影範囲内に含まれている。但し、これに限定されることはなく、主制御装置９２の長さ方向の全体が払出制御装置８２の上方への投影範囲内に含まれる構成としてもよい。
【００４４】
つまり、主制御装置９２は、裏パックユニット１５が閉鎖位置に配置されている状態において、第１遊技機構成体である音声ランプ制御装置６６と第２遊技機構成体である払出制御装置８２とにより主制御装置９２がその幅方向（より具体的には、縦方向）に挟まれることとなる。なお、裏パックユニット１５が閉鎖位置に配置されている状態では、主制御装置９２の一部が保護カバー部７５によりパチンコ機１０後方から覆われることとなるが、これに限定されることはなく、主制御装置９２の全体が保護カバー部７５によりパチンコ機１０後方から覆われる構成としてもよく、主制御装置９２の全体が保護カバー部７５によりパチンコ機１０後方から覆われない構成としてもよい。
【００４５】
次に、主制御装置９２の構成を、図７乃至図１０を参照しながら説明する。図７（ａ）は主制御装置９２の斜視図、図７（ｂ）は主制御装置９２の側面図、図８は主制御装置９２を表面側から見た分解斜視図、図９は主制御装置９２を裏面側から見た分解斜視図である。
【００４６】
主制御装置９２は、図８及び図９に示すように、主制御基板１０１と基板ボックス１０２とを備えており、当該基板ボックス１０２内に主制御基板１０１が収容されて構成されている。
【００４７】
主制御基板１０１は、主たる制御を司るＣＰＵ、遊技プログラムを記憶したＲＯＭ、遊技の進行に応じた必要なデータを記憶するＲＡＭ等を備えている。本実施形態では、ＣＰＵ、ＲＯＭ及びＲＡＭがＣＰＵチップ１０３に１チップ化されている。また、詳細な説明は省略するが、入出力ドライバ用ＩＣチップ１０４及びラッチ用ＩＣチップ１０５が搭載されている。また、図示は省略するが、主制御基板１０１には、コンデンサや抵抗などの各種素子や複数のコネクタが搭載されている。
【００４８】
主制御基板１０１においてＣＰＵチップ１０３などの各種素子やコネクタは全て同一の板面上に搭載されており、その逆側の板面にて半田付けされている。つまり、主制御基板１０１は、一方の板面が素子搭載面１０６となっており、他方の板面が半田面１０７となっている。なお、半田面１０７とは、素子搭載面１０６に搭載される各種素子の半田付け部分が設けられる面であるが、当該半田面１０７に対して回路パターンが形成されていてもよい。また、両板面が素子搭載面として構成されていてもよい。
【００４９】
基板ボックス１０２は、複数のケース体として、表側構成体（ボックスカバー）１１１と裏側構成体（ボックスベース）１１２とを備えている。これら表側構成体１１１及び裏側構成体１１２は、基板ボックス１０２内に収容された主制御基板１０１の素子搭載面１０６及び半田面１０７を基板ボックス１０２外から視認可能なように透明性を有する材料により形成されている。具体的には、無色透明のポリカーボネート樹脂により形成されているが、これに限定されることはなく、アクリル樹脂等であってもよい。
【００５０】
表側構成体１１１及び裏側構成体１１２が組み合わされることにより、図７（ａ），（ｂ）に示すように、基板ボックス１０２は四角箱状（略直方体形状）に形成されており、所定の内部空間を有している。
【００５１】
詳細には、表側構成体１１１は、図８に示すように、当該表側構成体１１１の周縁を規定する表側周縁部１１３と、当該表側周縁部１１３から一方に膨出するようにして形成された膨出部１１４とが一体形成されてなる。これら表側周縁部１１３と膨出部１１４とにより、表側構成体１１１は膨出部１１４の膨出側とは反対側に開放された略直方体形状をなしている。また、表側構成体１１１は正面視で長方形状をなしている。なお、詳細な説明は省略するが、表側構成体１１１の膨出部１１４には主制御基板１０１に設けられたコネクタを基板ボックス１０２の外部に露出させるための開口部や、放熱用の開口部が形成されている。
【００５２】
表側構成体１１１にはその背面側から主制御基板１０１がネジ固定されている（所定の工具を用いて着脱可能な状態で固定されている）。表側構成体１１１への主制御基板１０１のネジ固定は、主制御基板１０１の半田面１０７側から行われており、主制御基板１０１の素子搭載面１０６に搭載された各種素子は、主制御基板１０１と表側構成体１１１との間の領域内に収容されている。ちなみに、図９に示すように膨出部１１４の裏面側には主制御基板１０１に向けて延びる囲み壁部１１５が形成されており、表側構成体１１１と主制御基板１０１との間の空間において主制御基板１０１のＣＰＵチップ１０３は囲み壁部１１５により周囲が囲まれている。
【００５３】
主制御基板１０１が一体化された表側構成体１１１に対して、裏側構成体１１２が固定されている。裏側構成体１１２は、図８及び図９に示すように、正面視で四角形状、具体的には長方形状をなす略板状に形成されており、平面状に形成された平面部１１６と、当該平面部１１６の周縁を囲むようにして形成された裏側周縁部１１７とが一体形成されてなる。
【００５４】
表側構成体１１１に対してその裏面側から裏側構成体１１２を固定することにより、表側構成体１１１の表側周縁部１１３と裏側構成体１１２の裏側周縁部１１７とが重なり、膨出部１１４の裏面側への開放部分が裏側構成体１１２の平面部１１６により閉塞される。この場合、主制御基板１０１の半田面１０７は、裏側構成体１１２により覆われている。つまり、主制御基板１０１の素子搭載面１０６はその全体が表側構成体１１１と対向しており、主制御基板１０１の半田面１０７はその全体が裏側構成体１１２と対向している。上記構成の主制御装置９２は、図５（ｂ）に示すように、裏側構成体１１２の裏面が取付台９１側を向くようにして取付台９１に搭載されている。
【００５５】
表側構成体１１１の膨出部１１４の表側には、証紙ラベル１３８が貼り付けられている。この証紙ラベル１３８には、製造メーカ名、製造番号、及びそれらの各データをＩＤ情報（識別情報）として二次元コード化したＱＲコード（登録商標）が印刷等により示されている。
【００５６】
次に、表側構成体１１１と裏側構成体１１２との固定に係る構成について詳細に説明する。両構成体１１１，１１２の固定に係る構成としては、両構成体１１１，１１２の相互の位置ずれを特定の規制方向のみに規制する規制手段と、当該規制方向への位置ずれを防止するように両構成体１１１，１１２を相互に固定する固定手段と、を備えている。
【００５７】
先ず、規制手段について詳細に説明する。
【００５８】
図８及び図９に示すように、規制手段として、裏側構成体１１２には、フック部１１８が一体形成されている。フック部１１８は複数設けられており、これらフック部１１８は裏側周縁部１１７の対向する各長辺部（具体的には、上縁部及び下縁部）において当該長辺部の延びる方向に沿って等間隔で形成されている。この場合、フック部１１８は、上下にそれぞれ６個ずつ形成されているが、複数であればその数は任意である。各フック部１１８は、全て同一形状となるように形成されているとともに、全て同一のサイズに形成されている。各フック部１１８は表側構成体１１１に向けて起立させて設けられており、自由端側が裏側構成体１１２の一方の短辺部側に向けて延びるように途中位置で折り曲げて形成されている。
【００５９】
フック部１１８に対応させて表側構成体１１１の上下の各長辺部には、各フック部１１８に１対１で対応させてスリット１１９が形成されている。スリット１１９は、基板ボックス１０２の厚み方向、すなわち表側構成体１１１と裏側構成体１１２との並設方向に貫通しており、対応するフック部１１８を内部に挿入可能となっている。そして、スリット１１９の内部にはフック部１１８の先端を係止する図示しない受け部が形成されている。
【００６０】
上記のようにフック部１１８及び受け部を有する規制手段が設けられていることにより、表側構成体１１１と裏側構成体１１２とを一体化させる際には、各スリット１１９内に対応するフック部１１８が挿入されるように表側構成体１１１と裏側構成体１１２とを組み合わせる。この段階では、表側構成体１１１と裏側構成体１１２とは、基板ボックス１０２の長さ方向（すなわち、長辺部が延びる方向）に相互にずれている。その後、フック部１１８が対応する受け部に係止されるように、表側構成体１１１及び裏側構成体１１２のうちの一方を他方に対して上記長さ方向にスライド移動させる。これにより、各フック部１１８が対応する受け部に係止され、表側構成体１１１と裏側構成体１１２とを基板ボックス１０２の厚み方向や幅方向（すなわち、短辺部が延びる方向）に離間させようとしてもそれが規制される。
【００６１】
なお、規制手段の構成は上記のものに限定されることはなく、表側周縁部１１３及び裏側周縁部１１７のうちの一方にガイド用突条部を形成するとともに、他方にガイド用突条部が嵌り込み可能であり嵌り込んだガイド用突条部を所定の方向のみにスライド移動可能とするガイド用溝部を形成する構成としてもよい。
【００６２】
次に、固定手段について説明する。
【００６３】
基板ボックス１０２には、図７（ａ）に示すように、固定手段として、第１の固定領域１２０と第２の固定領域１３０とが少なくとも設けられている。第１の固定領域１２０及び第２の固定領域１３０のうちの一方は基板ボックス１０２における一の辺部に対して設けられているとともに、他方は前記一の辺部と対向する辺部に対して設けられている。詳細には、第１の固定領域１２０は規制手段により規制された方向の両端のうち一方の端部側に設けられているとともに、第２の固定領域１３０は規制手段により規制された方向の両端のうち他方の端部側に設けられている。より詳細には、第１の固定領域１２０は一方の短辺部に設けられているとともに、第２の固定領域１３０は他方の短辺部に設けられている。
【００６４】
第１の固定領域１２０は、図８及び図９に示すように、表側構成体１１１に一体形成された表側固定領域１２１と、裏側構成体１１２に一体形成された裏側固定領域１２２と、を備えている。表側固定領域１２１及び裏側固定領域１２２は、各構成体１１１，１１２の一方の短辺部において当該短辺部の他の部位よりも側方に延出させて形成されており、基板ボックス１０２の厚み方向に重なり合っている。
【００６５】
表側固定領域１２１には、短辺部に沿って複数（具体的には、３個）の表側結合部１２３が並設されているとともに、裏側固定領域１２２には、それら表側結合部１２３に１対１で対応させて裏側結合部１２４が並設されている。これら各組み合わせの表側結合部１２３及び裏側結合部１２４はそれぞれ同一の構成を有しているため、以下、一の組み合わせについてその構成を説明する。
【００６６】
表側結合部１２３には基板ボックス１０２の厚み方向に貫通する貫通孔が形成されており、裏側結合部１２４には表側結合部１２３に向けて開放された有底のネジ孔が形成されている。貫通孔とネジ孔とは連通されており、これら連通された孔部に対して貫通孔側から破断ネジ１２５が螺着されている。
【００６７】
ここで、破断ネジ１２５とは、ドライバなどの工具の先端を差込可能な頭部１２６と、ネジ溝が形成された側との連結部分の強度が低く設定されたものであり、それ以上締めることができない位置において頭部１２６に対して上記工具によりさらに所定の力を加えることにより、上記連結部分が切断され、頭部１２６が分離されるものである。つまり、破断ネジ１２５は、螺着後において、上記工具を用いて緩める方向へ回転させることを不可とするものである。
【００６８】
なお、螺着後において表側結合部１２３と裏側結合部１２４との結合を緩めることができないようにすることができるのであれば、両結合部１２３，１２４を結合する固定具（結合具）は破断ネジ１２５に限定されることはなく周知のワンウェイネジであってもよい。また、ネジにより結合される構成に限定されることはなく、裏側結合部１２４に係止部が設けられているとともに、表側結合部１２３側から挿入された係止爪が上記係止部に係止され、表側結合部１２３や裏側結合部１２４の破壊を要することなく上記係止状態を解除できない構成としてもよい。
【００６９】
表側結合部１２３及び裏側結合部１２４の組み合わせは上記のとおり複数組設けられているが、それら全ての組み合わせに対して破断ネジ１２５による結合が行われている。そして、それら破断ネジ１２５は全て頭部１２６が取り外されている。このように表側結合部１２３及び裏側結合部１２４が結合されていることにより、表側構成体１１１と裏側構成体１１２とが分離不可な状態で相互に固定されている。
【００７０】
図９に示すように、各裏側結合部１２４はベース側連結部１２７を介して裏側周縁部１１７に連結されているとともに、相互連結部１２８を介して隣り合う裏側結合部１２４同士が連結されている。これらベース側連結部１２７及び相互連結部１２８の周囲には、ニッパやカッタなどといった切断用工具の先端を差込可能な空間が確保されている。これにより、各連結部１２７，１２８の切断が可能となっている。特に、各連結部１２７，１２８はその強度が、表側結合部１２３及び裏側結合部１２４を破壊するとともに破断ネジ１２５を介した結合を解除する場合よりも切断し易いように設定されている。具体的には、周囲の領域に比べ肉薄に形成されている。これにより、各連結部１２７，１２８の切断を行い易くなっている。
【００７１】
ベース側連結部１２７を切断することにより、裏側結合部１２４を裏側周縁部１１７から分離されることとなる。この場合に、表側結合部１２３及び裏側結合部１２４が設けられた位置は、基板ボックス１０２の一の辺部であって、規制手段により規制された状態を解除すべく表側構成体１１１又は裏側構成体１１２の一方を他方に対してスライド移動させた場合に、表側結合部１２３と裏側結合部１２４との結合痕跡片が、主制御基板１０１が収容された本体と当接しない位置となっている。これにより、表側結合部１２３及び裏側結合部１２４の結合を通じて表側構成体１１１と裏側構成体１１２とが固定された状態を解除することができる。
【００７２】
また、仮に、表側構成体１１１と裏側構成体１１２との相対位置が元に戻されたとしても、連結部１２７，１２８の切断箇所が残ることとなる。したがって、遊技ホールの管理者等にとっては、連結部１２７，１２８が切断されているか否かを確認することで、表側結合部１２３及び裏側結合部１２４の結合を通じた表側構成体１１１と裏側構成体１１２との固定が解除されているか否かを目視確認することができる。
【００７３】
ちなみに、表側結合部１２３及び裏側結合部１２４の全ての組み合わせに対して破断ネジ１２５による結合を行うのではなく、一部の組み合わせに対して破断ネジ１２５による結合を行う構成においては、遊技ホールの管理者等が主制御基板１０１の検査やメンテナンスに際して当該結合に伴う固定を解除した後には、未使用の組み合わせに対して破断ネジ１２５を螺着することで再度固定を行うことが可能となる。このように一部の組み合わせが破断ネジ１２５により結合されている状況において当該結合に係る固定を解除する上では、ベース側連結部１２７だけでなく相互連結部１２８の切断も要する。
【００７４】
なお、上記各連結部１２７，１２８が裏側結合部１２４に対してではなく、表側結合部１２３に対して設けられていてもよく、両結合部１２３，１２４に対して設けられていてもよい。また、上記各連結部１２７，１２８を不具備とし、上記結合に係る固定を解除する上では表側結合部１２３自体や裏側結合部１２４自体の破壊を要する構成としてもよい。この場合、遊技ホールの管理者等が正規に基板ボックス１０２を開放させる場合の作業性が低下するものの、依然として、基板ボックス１０２を固定する機能及び不正開放が行われた場合にはその痕跡を視的効果として残す機能は果たされる。
【００７５】
次に、第２の固定領域１３０について説明する。
【００７６】
表側構成体１１１及び裏側構成体１１２において、表側固定領域１２１及び裏側固定領域１２２が設けられた側とは反対側の短辺部には、図７（ａ）に示すように、第２の固定領域１３０として、表側固定ベース部１３１及び裏側固定ベース部１３２が設けられている。表側固定ベース部１３１及び裏側固定ベース部１３２は、各構成体１１１，１１２の一方の短辺部において当該短辺部の一部よりも側方に延出させて形成されている。
【００７７】
表側固定ベース部１３１の側方への張り出し位置と裏側固定ベース部１３２の張り出し位置とが同一又は略同一となっており、さらに短辺部に沿った方向の寸法も両ベース部１３１，１３２において同一又は略同一となっている。表側構成体１１１及び裏側構成体１１２が組み合わされた状態において表側固定ベース部１３１と裏側固定ベース部１３２とは基板ボックス１０２の厚み方向に並設され、表側固定ベース部１３１において裏側固定ベース部１３２を向く面側の周縁部の全体と、裏側固定ベース部１３２において表側固定ベース部１３１を向く面側の周縁部の全体とが相互に当接している。
【００７８】
表側固定ベース部１３１の表面及び裏側固定ベース部１３２の表面により、封印シール１６０の貼付領域が形成されている。なお、封印シール１６０の詳細については後に説明する。貼付領域は、表側固定ベース部１３１により構成される表面領域１３３と、裏側固定ベース部１３２により構成される裏面領域１３４と、表側固定ベース部１３１及び裏側固定ベース部１３２の両方により構成され、それぞれコーナー部を介して表面領域１３３及び裏面領域１３４の両方に連続しこれら両領域１３３，１３４の間に介在する側面領域１３５と、を備えている。
【００７９】
これら表面領域１３３、裏面領域１３４及び側面領域１３５は平面状に形成されている。また、表面領域１３３において側面領域１３５との境界側の端部とその反対側の端部との間の寸法は、裏面領域１３４において側面領域１３５との境界側の端部とその反対側の端部との間の寸法よりも大きく設定されている。
【００８０】
側面領域１３５は上記のとおり表側固定ベース部１３１及び裏側固定ベース部１３２の両方により構成されているため、当該側面領域１３５には両ベース部１３１，１３２の境界１３６が存在している。当該境界１３６は一連の線状に形成されている。ここで、当該境界１３６は非直線状となっている。かかる構成について以下に詳細に説明する。
【００８１】
図９に示すように、表側固定ベース部１３１において裏側固定ベース部１３２と対向する側は、基板ボックス１０２の幅方向の途中位置にて両端側に比べ表面領域１３３側に凹んだ段差状に形成されている。つまり、表側固定ベース部１３１において裏側固定ベース部１３２と対向する側には、一対の段差壁部１４１により基板ボックス１０２の幅方向に挟まれた凹み領域１４２が形成されている。
【００８２】
表側固定ベース部１３１に凹み領域１４２が形成されていることに伴って、裏側固定ベース部１３２において側面領域１３５を構成する部位には、基板ボックス１０２の幅方向の途中位置に当該幅方向の両端側の側面基部１４３よりも表側固定ベース部１３１側に突出した突出壁部１４４が一体形成されている。突出壁部１４４は凹み領域１４２の全体を埋めるように形成されているのではなく、凹み領域１４２において側面領域１３５側の端部を含む箇所を埋めるように形成されている。
【００８３】
突出壁部１４４は、裏側固定ベース部１３２において側面基部１４３から連続するとともに当該側面基部１４３から直線状に起立した一対の起立エッジと、これら一対の起立エッジを直線状に結ぶ連結エッジとにより周囲が規定された角形状、より詳細には四角形状となっている。起立エッジの長さ寸法は、表側固定ベース部１３１における段差壁部１４１の高さ寸法と同一又は略同一となっており、連結エッジの長さ寸法は、凹み領域１４２における段差壁部１４１間の距離と同一又はそれよりも若干短い程度となっている。
【００８４】
表側構成体１１１と裏側構成体１１２とが組み合わされた状態において凹み領域１４２に対して突出壁部１４４が入り込んでおり、各起立エッジは対応する段差壁部１４１と近接した位置にて対向しているとともに、連結エッジは凹み領域１４２の底部と近接した位置にて対向している。したがって、突出壁部１４４により、凹み領域１４２は基板ボックス１０２外側の端部にて閉塞されており、さらに凹み領域１４２と突出壁部１４４とが形成された構成において側面領域１３５は両ベース部１３１，１３２の境界を除いて面一又は略面一となっている。
【００８５】
凹み領域１４２及び突出壁部１４４が形成されていることにより、側面領域１３５における表側固定ベース部１３１と裏側固定ベース部１３２との境界１３６は、その途中位置にコーナー部を有する非一直線状となっている。詳細には、図７（ｂ）に示すように、側面領域１３５外の境界から連続する第１ライン１４５と、第１ライン１４５に対して連続し且つ当該第１ライン１４５に対して交差する方向、より具体的には直交又は略直交する方向に延びる第２ライン１４６と、第２ライン１４６に対して連続し且つ当該第２ライン１４６に対して交差する方向、より具体的には第１ライン１４５に対して平行又は略平行となる方向に延びる第３ライン１４７と、第３ライン１４７に対して連続し且つ当該第３ライン１４７に対して交差する方向、より具体的には第２ライン１４６に対して平行又は略平行となる方向に延びる第４ライン１４８と、第４ライン１４８に対して連続し且つ当該第４ライン１４８に対して交差する方向、より具体的には第１ライン１４５に対して平行又は略平行となる方向に延びる第５ライン１４９と、を有しており、第５ライン１４９は側面領域１３５外の境界に連続している。
【００８６】
つまり、側面領域１３５における境界１３６は、その両端側に所定の間隔を隔てて同一直線上に配置された第１ライン１４５及び第５ライン１４９を有しているとともに、第１ライン１４５及び第５ライン１４９のそれぞれに対してコーナー部を介して連続し相互に対向する一対の第２ライン１４６及び第４ライン１４８を有しており、さらに第２ライン１４６及び第４ライン１４８を連結する第３ライン１４７を有している。なお、裏側構成体１１２には突出壁部１４４の面方向の強度を強化するために突出壁部１４４よりも内側において当該突出壁部１４４に連続するリブが一体形成されている。
【００８７】
表側固定ベース部１３１及び裏側固定ベース部１３２には、第１ライン１４５を形成する領域及び第５ライン１４９を形成する領域のそれぞれに、結合具により両ベース部１３１，１３２の結合を行うための結合部が設けられている。
【００８８】
具体的には、図８及び図９に示すように、表側固定ベース部１３１において凹み領域１４２の外側にはその厚み方向に貫通する一対の貫通孔１５１が形成されており、これら貫通孔１５１に１対１で対応させて裏側固定ベース部１３２にはネジ孔１５２が形成されている。各貫通孔１５１とそれに対応するネジ孔１５２とは基板ボックス１０２の厚み方向に連通されており、それら連通された各組み合わせの貫通孔１５１及びネジ孔１５２に対して表側固定ベース部１３１側から破断ネジ１５３が螺着されている。そして、各破断ネジ１５３は螺着後において頭部１５４が除去されている。これにより、表側固定ベース部１３１及び裏側固定ベース部１３２は解除困難な状態で結合されており、当該結合を解除する上では、表側固定ベース部１３１、裏側固定ベース部１３２及び破断ネジ１５３のいずれかの破壊が行われ、その痕跡が残ることとなる。したがって、遊技ホールの管理者等にとってはその痕跡を目視確認することにより、基板ボックス１０２の不正開放が行われたか否かを確認することができる。
【００８９】
なお、螺着後において表側固定ベース部１３１と裏側固定ベース部１３２との結合を緩めることができないようにすることができるのであれば、両ベース部１３１，１３２を結合する固定具（結合具）は破断ネジ１５３に限定されることはなく周知のワンウェイネジであってもよい。また、ネジにより結合される構成に限定されることはなく、裏側固定ベース部１３２に係止部が設けられているとともに、表側固定ベース部１３１側から挿入された係止爪が上記係止部に係止され、表側固定ベース部１３１や裏側固定ベース部１３２の破壊を要することなく上記係止状態を解除できない構成としてもよい。
【００９０】
表側固定ベース部１３１及び裏側固定ベース部１３２には、上記ネジによる結合を通じた固定以外にも、表側構成体１１１と裏側構成体１１２との分離を阻止する構造が設けられている。かかる阻止構造について、図１０及び図１１を参照しながら説明する。図１０は図７（ｂ）のＡ―Ａ線断面図、図１１（ａ），（ｂ）は阻止構造による分離阻止の作用を説明するための説明図である。
【００９１】
図１０に示すように、表側固定ベース部１３１において凹み領域１４２の底部には裏側固定ベース部１３２に向けて突出した引っ掛け部１５５が一体形成されている。引っ掛け部１５５は、図９に示すように、凹み領域１４２において一対の段差壁部１４１間の方向に所定の間隔を隔てて複数（具体的には、２個）設けられている。なお、引っ掛け部１５５は複数であることに限定されることはなく、１個のみ設けられた構成としてもよい。
【００９２】
各引っ掛け部１５５は突出壁部１４４に向けて除々に突出量が増加するように形成されており、各引っ掛け部１５５はその表面に、突出壁部１４４に向けて裏側固定ベース部１３２側へと傾斜したテーパ面１５６と、突出壁部１４４の内壁面と対向する端面１５７と、を備えている。なお、端面１５７は突出壁部１４４の内壁面から若干離間されているが、両者が当接している構成としてもよい。
【００９３】
既に説明したように表側構成体１１１及び裏側構成体１１２には組み合わせに際しての方向を規制する規制手段が設けられており、表側構成体１１１と裏側構成体１１２とを組み合わせる際には、図１１（ａ），（ｂ）に示すように、一方を他方に対して、規制手段により規制された方向であって組み合わせ方向にスライド移動させる必要がある。この場合に、各引っ掛け部１５５には既に説明したようにテーパ面１５６が形成されており、さらに表側固定ベース部１３１及び裏側固定ベース部１３２が合成樹脂製であり弾性変形可能となっているため、各引っ掛け部１５５と干渉しながらも表側構成体１１１と裏側構成体１１２とを組み合わせることはできる。
【００９４】
一方、各引っ掛け部１５５には、突出壁部１４４の内壁面と対向する端面１５７が形成されているため、表側構成体１１１と裏側構成体１１２とが組み合わされている状態において、一方を他方に対して、規制手段により規制された方向であって分離方向にスライド移動させようとしても、端面１５７と突出壁部１４４とが当接し、それ以上のスライド移動が阻止される。これにより、表側構成体１１１及び裏側構成体１１２は分離困難な状態で固定されており、当該固定を解除する上では、表側固定ベース部１３１、裏側固定ベース部１３２及び引っ掛け部１５５のいずれかの破壊が行われ、その痕跡が残ることとなる。したがって、遊技ホールの管理者等にとってはその痕跡を確認することにより、基板ボックス１０２の不正開放が行われたか否かを確認することができる。
【００９５】
ここで、引っ掛け部１５５を直接破壊する上では、表側固定ベース部１３１と裏側固定ベース部１３２との境界１３６から両ベース部１３１，１３２の間の空間に差し込んだ切断工具により引っ掛け部１５５を切断する方法が考えられる。この場合に、引っ掛け部１５５は上記のとおり凹み領域１４２に対して設けられており一対の段差壁部１４１により挟まれているため、境界１３６において切断工具を挿入する位置は第３ライン１４７に規制される。
【００９６】
次に、貼付領域に対して貼り付けられる封印シール１６０について説明する。図１２（ａ）は封印シール１６０の正面図、図１２（ｂ）は封印シール１６０の裏面図、図１３は封印シール１６０の断面図である。
【００９７】
封印シール１６０は、図１２及び図１３に示すように、略矩形状のベースシート１６１を備えており、ベースシート１６１の裏面には粘着剤が塗布され粘着層１６２が形成されている。粘着層１６２には電子タグ（又はＲＦＩＤタグ）としてのＩＣタグ１６３が埋め込まれている。なお、図１３においては、粘着層１６２に剥離シート１６４が積層されているが、当該剥離シート１６４は封印シール１６０を基板ボックス１０２に貼り付ける際に剥がされる。
【００９８】
ベースシート１６１はポリエステル系フィルムなどの可撓性樹脂フィルムにより形成されており適度な脆性を有し、さらに溶剤や熱に対して反応性を有する。具体的には、粘着層１６２を構成する粘着剤に対して溶解性を備えたトルエンなどがベースシート１６１に塗布されると、ベースシート１６１は変色する。また、粘着層１６２の粘着力が低下する温度（例えば、５０℃）以上の熱が加えられた場合にもベースシート１６１は変色する。これにより、基板ボックス１０２の貼付領域から封印シール１６０を不正に剥がそうとして溶剤がかけられたり、熱が加えられたりした場合、ベースシート１６１が変色することで当該不正行為の痕跡を残すことができる。
【００９９】
ベースシート１６１の表面には、図１２（ａ）に示すように、インク塗布部１６５、識別番号部１６６及び機種情報部１６７が設けられている。インク塗布部１６５には、紫外線などといった特定の波長の光が照射されることにより模様が表れる特殊インクが塗布されている。識別番号部１６６には、複数の数字が記載されており、当該識別番号部１６６に記載される数字はパチンコ機毎に異なっている。機種情報部１６７には、当該遊技機の機種名や当該遊技機の製造メーカー名などが記載されている。
【０１００】
粘着層１６２の粘着剤は、従来の封印シールと同様に、一旦貼り付けされた後に剥がされるとベースシート１６１から剥がれる程度の粘着力を有している。したがって、封印シール１６０が剥がされた場合には再度貼り付けすることが不可能なものであり、さらには粘着層１６２の一部が貼付領域側に残ることとなる。よって、封印シール１６０を不正に剥がした痕跡を残すことができる。
【０１０１】
ＩＣタグ１６３は、ＩＣチップ１７１及びアンテナ部材１７２を備えている。ＩＣチップ１７１は集積回路として形成されるものであり、制御部及びメモリ領域を有する。メモリ領域は、データ書き換え不可な不揮発性メモリ（ＲＯＭ）により構成されており、その記憶容量は例えば１２８ｂｉｔとなっている。メモリ領域には、識別情報としてのＩＤ情報が格納されている。具体的には、製造メーカ名（又は複数のメーカごとに付されたメーカ固有番号）、遊技機固有のＩＤ番号が格納されている。ＩＣチップ１７１のメモリ領域はデータ書き換え不可であるため、ＩＤ情報が不正に改ざんされる等の不都合が抑制できるようになっている。
【０１０２】
アンテナ部材１７２は平面矩形状であって比較的薄い（例えば、１０〜２００μｍ）長尺状となっており、アルミや銅等の金属の導体箔として形成されている。アンテナ部材１７２の長手方向（又は長さ方向）のほぼ中央には、ＩＣチップ１７１が配置されている。かかるＩＣチップ１７１の配置は、例えば異方導電性フィルムや導電ペーストなどの接着剤によって、ＩＣチップ１７１の図示しない電極をアンテナ部材１７２に固定することで行われている。
【０１０３】
アンテナ部材１７２においてＩＣチップ１７１が配置された位置には、アンテナ部材１７２の表面から裏面に貫通させてスリット１７３が形成されている。スリット１７３は、ＩＣチップ１７１からアンテナ部材１７２の長手方向に延びる第１スリット部１７４と、ＩＣチップ１７１から上記長手方向に対して交差する方向、具体的には上記長手方向に直交する方向に延び、アンテナ部材１７２の端部に達する第２スリット部１７５とからなり、全体としてＬ字状に形成されている。スリット１７３は、ＩＣチップ１７１の内部に形成されている容量素子と結合してＩＣチップ１７１とアンテナ部材１７２との間のインピーダンスを整合させるマッチング回路を構成するインダクタとして機能する。この点、スリット１７３を整合用切り込みと称することができ、さらには当該スリット１７３が正常に機能しないとＩＣタグ１６３において正常な通信が不可となる構成に鑑みると通信用整合部又は不可状態発生部と称することができる。
【０１０４】
また、アンテナ部材１７２は共振調整回路としての機能を有しており、アンテナ部材１７２の長さ寸法は通信特性に重要な影響を与えるものである。最適なアンテナ部材１７２の長さ寸法は動作条件により変わるが、アンテナ部材１７２の周囲が空気である場合には、動作周波数のほぼ１／２波長が最適値となり、周囲が誘電体で覆われている場合には誘電体による波長短縮効果があるので、最適長さ寸法はこれより短い大きさとなることが知られている。本パチンコ機１０におけるアンテナ部材１７２の長さ寸法は、動作周波数が一定周波数となるように、約５０ｍｍの大きさに設定されている。
【０１０５】
ＩＣチップ１７１のＩＤ情報は、制御部によって呼び出されてアンテナ部材１７２から電波として発信することができるように構成されており、アンテナ部材１７２から発信された電波を、リーダ装置で受信してＩＤ情報を読み取ることができるようになっている。
【０１０６】
ＩＣタグ１６３（アンテナ部材１７２）は、図１２（ｂ）に示すように、ベースシート１６１においてその一隅部側からその対角方向の隅部側に亘って斜めに配置されている。この場合、長尺状のアンテナ部材１７２はその長手方向がベースシート１６１のすべての辺方向と交差することとなる。
【０１０７】
封印シール１６０にはアンテナ用切り込み１７６が形成されている。アンテナ用切り込み１７６はベースシート１６１の表面から粘着層１６２の表面まで貫通している。なお、粘着層１６２の表面とは、封印シール１６０の裏面側において露出している面であり、この点、アンテナ用切り込み１７６は封印シール１６０の表面から裏面まで貫通しているとも言える。
【０１０８】
アンテナ用切り込み１７６は、アンテナ部材１７２の長手方向に対して直交する方向又は略直交する方向に延びる直線状である。ちなみに、アンテナ部材１７２の長手方向に対して直交する方向又は略直交する方向は、ベースシート１６１の全ての辺方向と交差する方向となる。
【０１０９】
アンテナ用切り込み１７６は、アンテナ部材１７２の短手方向において当該アンテナ部材１７２を間に挟むようにして形成されているとともに、各長辺部側において長手方向に沿って等間隔となるように複数形成されている。各アンテナ用切り込み１７６は、ベースシート１６１においてアンテナ部材１７２の配置されていない領域側を一端として、他端側がアンテナ部材１７２の配置されている領域に若干かかる構成となっている。この場合に、一方の長辺部側のアンテナ用切り込み１７６は他方の長辺部側のアンテナ用切り込み１７６に対して短手方向に並ばないように形成されている。
【０１１０】
複数のアンテナ用切り込み１７６の一部は、アンテナ部材１７２においてスリット１７３が形成された領域に対しても隣接させて設けられている。この場合、一方の長辺部側における一部のアンテナ用切り込み１７６が、アンテナ部材１７２においてスリット１７３が形成された領域に対して隣接させて設けられているとともに、他方の長辺部側における一部のアンテナ用切り込み１７６も、アンテナ部材１７２においてスリット１７３が形成された領域に対して隣接させて設けられている。つまり、アンテナ用切り込み１７６は、少なくともアンテナ部材１７２においてスリット１７３が形成された領域を間に挟むようにして形成されている。
【０１１１】
封印シール１６０の４隅には、ベースシート１６１の表面側から粘着層１６２の表面まで貫通する隅側切り込み１７７がそれぞれ形成されている。隅側切り込み１７７は、封印シール１６０の隅角に沿うようにしてＬ字状に形成されている。また、封印シール１６０の外縁には、外縁端部から内側に向けて多数の外縁切り込み１７８が形成されている。これら外縁切り込み１７８は、内側から外側に向けて開くようにして鋭角のＶ字状となっており、さらに封印シール１６０の外周に沿って等間隔で形成されている。
【０１１２】
上記のようにアンテナ用切り込み１７６、隅側切り込み１７７及び外縁切り込み１７８が形成されていることにより、封印シール１６０を貼付領域から剥がそうとすると、ベースシート１６１に破れが生じたり、アンテナ部材１７２が切断されたりする。かかる作用については、後に説明する。
【０１１３】
次に、封印シール１６０の貼付位置に係る構成について説明する。図１４は主制御装置９２において封印シール１６０が貼り付けられた領域及びその周辺を拡大して示す拡大斜視図、図１５は貼付領域における封印シール１６０の位置関係を説明するための説明図である。なお、図１５においては、説明の便宜上、隅側切り込み１７７及び外縁切り込み１７８を省略している。
【０１１４】
図１４に示すように、封印シール１６０は貼付領域に貼り付けられている。この場合、貼付領域において表面領域１３３、側面領域１３５及び裏面領域１３４に亘って封印シール１６０が配置されるように当該封印シール１６０はコ字状に曲げて貼り付けられている。封印シール１６０により、表面領域１３３の略全体、側面領域１３５の略全体及び裏面領域１３４の略全体が覆われている。したがって、表面領域１３３に形成されている各貫通孔１５１の開口部及び裏面領域１３４に形成されている各ネジ孔１５２の開口部が封印シール１６０により覆われているとともに、側面領域１３５における表側固定ベース部１３１と裏側固定ベース部１３２との境界１３６もその略全体が封印シール１６０により覆われている。
【０１１５】
なお、表面領域１３３における側面領域１３５との境界側の端部とその反対側の端部との間の距離は、裏面領域１３４における側面領域１３５との境界側の端部とその反対側の端部との間の距離よりも長く設定されている。したがって、裏面領域１３４に比べ表面領域１３３の面積が広く設定されており、それに伴って封印シール１６０において裏面領域１３４を覆う領域よりも表面領域１３３を覆う領域の方が面積は広い。但し、これに限定されることはなく、表面領域１３３に比べ裏面領域１３４の面積を広くしてもよく、両領域１３３，１３４の面積を同程度としてもよい。
【０１１６】
封印シール１６０においてアンテナ部材１７２は、既に説明したとおり、ベースシート１６１においてその一隅部側からその対角方向の隅部側に亘って配置されているため、封印シール１６０と同様に、アンテナ部材１７２も表面領域１３３、側面領域１３５及び裏面領域１３４に亘ってコ字状に曲げて配置されている。
【０１１７】
アンテナ部材１７２と破断ネジ１５３との位置関係について説明する。
【０１１８】
アンテナ部材１７２における長手方向の一方の端部は、図１５に示すように、表面領域１３３における一の貫通孔１５１の開口部を跨いでいる。詳細には、アンテナ部材１７２の短手方向の寸法は貫通孔１５１の開口部の孔径よりも小さくなっており、さらにアンテナ部材１７２が貫通孔１５１の開口部を挟んで当該開口部の周縁部を架渡すように配置されている。このようにアンテナ部材１７２が配置されていることにより、アンテナ部材１７２の端部は、破断ネジ１５３におけるネジ溝側とは反対側の端部と対峙している。但し、破断ネジ１５３におけるネジ溝側とは反対側の端部が貫通孔１５１における軸線方向の途中位置に配置されているため、破断ネジ１５３とアンテナ部材１７２とは接触していない。
【０１１９】
アンテナ部材１７２において上記開口部を跨ぐ側の端部とは反対側の端部は、裏面領域１３４における一のネジ孔１５２の開口部を跨いでいる。この場合に、破断ネジ１５３におけるネジ溝側の端部がネジ孔１５２における軸線方向の途中位置に配置されているため、破断ネジ１５３とアンテナ部材１７２とは接触していない。
【０１２０】
例えば、アンテナ部材１７２が破断ネジ１５３に接触すると、設定された動作周波数（例えば、２．４５ＧＨｚ）が変化してしまい、アンテナ部材１７２を通じた通信が良好に行えなくなるおそれがある。そうすると、ＩＣチップ１７１に記憶されたＩＤ情報をリーダ装置により読み取ろうとしてもそれが行えないおそれがあるが、上記のようにアンテナ部材１７２と破断ネジ１５３とが接触していないことにより、上記不都合の発生が抑えられている。
【０１２１】
次に、アンテナ部材１７２と境界１３６との位置関係について説明する。
【０１２２】
アンテナ部材１７２は、側面領域１３５を挟み表面領域１３３から裏面領域１３４に亘って配置されているため、側面領域１３５における表側固定ベース部１３１と裏側固定ベース部１３２との境界１３６を跨いでいる。境界１３６は、既に説明したとおり非一直線状に形成されており、第１ライン１４５〜第５ライン１４９が順次連続することで形成されている。アンテナ部材１７２は、上記第１ライン１４５〜第５ライン１４９のうち、第３ライン１４７を跨いでいる。
【０１２３】
つまり、境界１３６は、封印シール１６０において相互に対向する一対の第１周縁部（第１辺部）と第２周縁部（第２辺部）との間に亘って配置されているとともに、第１周縁部及び第２周縁部とは異なる周縁部であって相互に対向する一対の第３周縁部（第３辺部）及び第４周縁部（第４辺部）のうち少なくとも一方に向けて延びるラインが生じるように曲がり部が形成されている。
【０１２４】
アンテナ部材１７２においてＩＣチップ１７１及びスリット１７３が形成された領域は、貼付領域において第２ライン１４６と第４ライン１４８とにより挟まれた領域に対して配置されている。また、ＩＣチップ１７１は、第１ライン１４５及び第５ライン１４９よりも表面領域１３３側であって第３ライン１４７よりも裏面領域１３４側に配置されているのに対して、スリット１７３は、第１スリット部１７４のＩＣチップ１７１側とは反対側の端部が第３ライン１４７を跨いでいる。
【０１２５】
アンテナ部材１７２が第３ライン１４７を跨いでいることにより、ベースシート１６１においてアンテナ用切り込み１７６が形成されている領域は、第３ライン１４７よりも表面領域１３３側に配置されているとともに、第３ライン１４７よりも裏面領域１３４側に配置されている。また、第１スリット部１７４が、第３ライン１４７を跨いでいることにより、第１スリット部１７４に向けたアンテナ用切り込み１７６は、第３ライン１４７よりも表面領域１３３側に配置されているとともに、第３ライン１４７よりも裏面領域１３４側に配置されている。
【０１２６】
ここで、貼付領域は、囲み部１８０によって囲まれている。
【０１２７】
囲み部１８０について詳細には、図８に示すように、表側構成体１１１の表側周縁部１１３において表側固定ベース部１３１に連続する部分と、表側固定ベース部１３１の表面領域１３３との間には表側段差部１８１が形成されている。また、図９に示すように、裏側構成体１１２の裏側周縁部１１７において裏側固定ベース部１３２に連続する部分と、裏側固定ベース部１３２の裏面領域１３４との間には裏側段差部１８２が形成されている。さらに、表側固定ベース部１３１には表面領域１３３及び側面領域１３５を間に挟むようにして対向する一対の表側突条部１８３が形成されているとともに、裏側固定ベース部１３２には側面領域１３５及び裏面領域１３４を間に挟むようにして対向する一対の裏側突条部１８４が形成されており、表側突条部１８３と裏側突条部１８４とはそれぞれ同じ側に配置されている同士が境界１３６を挟んで連続している。
【０１２８】
表側段差部１８１、裏側段差部１８２、表側突条部１８３及び裏側突条部１８４により囲み部１８０が形成されており、貼付領域は囲み部１８０によって囲まれている。そして、貼付領域に貼り付けられている封印シール１６０の周縁はその全体が囲み部１８０に近接している。これにより、封印シール１６０を剥がそうとしても、その剥がし行為が非常に困難なものとなっている。
【０１２９】
封印シール１６０の周縁の全体が囲み部１８０に近接していることにより、封印シール１６０の貼り付け作業に際しては、封印シール１６０が囲み部１８０によって囲まれた領域内からはみ出ないように貼り付けることで、アンテナ部材１７２と貫通孔１５１との位置関係、アンテナ部材１７２とネジ孔１５２との位置関係及びアンテナ部材１７２と境界１３６との位置関係は、自ずと上記のような関係となる。
【０１３０】
また、図１５に示すように、囲み部１８０によって囲まれる領域は、封印シール１６０の面積よりも広くなっている。これにより、封印シール１６０の貼り付け作業に際しては、貼り付け位置に所定のゆとりが生まれ、貼り付け作業の作業性が向上されている。この場合に、その貼り付け位置のゆとりは、アンテナ部材１７２と貫通孔１５１との上記位置関係、アンテナ部材１７２とネジ孔１５２との上記位置関係及びアンテナ部材１７２と境界１３６との上記位置関係が、自ずと維持される範囲内で設定されている。
【０１３１】
次に、上記のように封印シール１６０が貼り付けられていることによる作用効果について説明する。
【０１３２】
基板ボックス１０２を不正に開放する場合、少なくとも表側固定ベース部１３１及び裏側固定ベース部１３２に設けられた固定手段による固定を解除する必要がある。かかる固定を解除する方法としては、封印シール１６０を貼付領域から剥がすことなく、境界１３６に沿って封印シール１６０を切断するとともに、境界１３６を介して表側固定ベース部１３１と裏側固定ベース部１３２との間に所定の工具を挿入し、各破断ネジ１５３の切断と引っ掛け部１５５の切断とを行う第１の方法が考えられる。また、この他に、封印シール１６０を貼付領域から剥がすことで境界１３６を露出させるとともに、当該境界１３６を介して表側固定ベース部１３１と裏側固定ベース部１３２との間に所定の工具を挿入し、各破断ネジ１５３の切断と引っ掛け部１５５の切断とを行う第２の方法が考えられる。以下、第１の方法に対する作用効果及び第２の方法に対する作用効果について順次説明する。
【０１３３】
第１の方法で不正開放が行われる場合、上記のとおり、封印シール１６０は境界１３６に沿って切断されることとなる。この場合に、境界１３６が上記のとおり非一直線状に形成されていることにより、境界１３６に沿って封印シール１６０を切断する作業が煩雑なものとなる。また、ＩＣタグ１６３のアンテナ部材１７２が境界１３６を跨ぐように配置されているため、境界１３６に沿って封印シール１６０が切断された場合、アンテナ部材１７２が切断されることとなる。そうすると、アンテナ部材１７２においてＩＣチップ１７１が配置された側の部分の長さ寸法が短くなり、リーダ装置との間の通信距離が短くなる。また、切断後の長さ寸法によっては通信が不可となる。この場合、リーダ装置によりＩＤ情報を正規に読み取ろうとする管理者にとっては、通信がしづらい又は通信ができないことを確認することで、上記不正開放の事実を把握することができる。
【０１３４】
また、アンテナ部材１７２に形成されたスリット１７３が境界１３６を跨ぐように配置されているため、境界１３６に沿って封印シール１６０が切断された場合、スリット１７３が形成された箇所を含めて切断されることとなる。そうすると、インピーダンス整合が良好に行われなくなり、通信がしづらくなる又は通信が不可となる。この場合、上記管理者にとっては、リーダ装置を用いた通信がしづらい又は通信ができないことを確認することで、上記不正開放の事実を把握することができる。
【０１３５】
第２の方法で不正開放が行われる場合、上記のとおり、封印シール１６０は貼付領域から剥がされることとなる。かかる剥がし作業に際しては、封印シール１６０をその隅角から剥がす場合と、封印シール１６０の一辺に沿う方向に剥がす場合とが想定される。
【０１３６】
隅角から剥がす場合、剥がす力に伴う応力が封印シール１６０の隅側切り込み１７７や外縁切り込み１７８に集中するため、封印シール１６０の破壊が生じ易く、上記管理者にとっては、剥がした後の封印シール１６０が再貼付されている場合にはその破壊を目視確認することで上記不正開放の事実を把握することが可能となる。
【０１３７】
隅角から剥がす場合及び封印シール１６０の一辺に沿う方向に剥がす場合のいずれであっても、剥がす力に伴う応力がアンテナ用切り込み１７６の端部に集中することで、アンテナ用切り込み１７６を介してベースシート１６１が破壊され、それに伴ってアンテナ部材１７２が切断される。この場合、上記管理者にとっては、リーダ装置を用いた通信がしづらい又は通信ができないことを確認することで、上記不正開放の事実を把握することができる。
【０１３８】
特に、アンテナ部材１７２においてスリット１７３が形成された領域の一部は、境界１３６において対向する一対の第２ライン１４６と第４ライン１４８との間の領域に配置されている。また、アンテナ部材１７２においてスリット１７３が形成された領域の一部は、第３ライン１４７よりも裏面領域１３４側であって、第１ライン１４５及び第５ライン１４９よりも表面領域１３３側に配置されている。したがって、封印シール１６０を任意の方向であって同一方向に剥がすことで境界１３６の全てを露出させるためには、封印シール１６０におけるスリット１７３が形成されている部分を貼付領域から剥がす必要がある。そして、アンテナ用切り込み１７６の一部はスリット１７３に隣接させて形成されているため、境界１３６を全て露出させる際に、スリット１７３が形成された箇所においてアンテナ部材１７２の切断又は破壊が生じることが期待される。そうすると、インピーダンス整合が良好に行われなくなり、通信がしづらくなる又は通信が不可となる。この場合、上記管理者にとっては、リーダ装置を用いた通信がしづらい又は通信ができないことを確認することで、上記不正開放の事実を把握することができる。
【０１３９】
また、境界１３６の形状に沿うようにして剥がす方向を順次変えながら封印シール１６０を剥がすことも考えられるが、その剥がし行為は煩雑なものとなる。また、この場合、剥がす際に封印シール１６０に生じる折れ目が複雑なものとなることで封印シール１６０に大きな負荷がかかり易くなり、それに伴って封印シール１６０に破れが生じ易くなる。さらには、アンテナ用切り込み１７６はスリット１７３を間に挟むようにして形成されており、境界１３６を基準として表面領域１３３側及び裏面領域１３４側の両方にアンテナ用切り込み１７６が配置されている。したがって、境界１３６を全て露出させる際に、スリット１７３が形成された箇所においてアンテナ部材１７２の切断又は破壊が生じることが期待される。そうすると、インピーダンス整合が良好に行われなくなり、通信がしづらくなる又は通信が不可となる。この場合、上記管理者にとっては、リーダ装置を用いた通信がしづらい又は通信ができないことを確認することで、上記不正開放の事実を把握することができる。
【０１４０】
次に、封印シール１６０のカバー部材９３について説明する。図１６（ａ），（ｂ）はそれぞれ異なる方向から見たカバー部材９３の斜視図、図１７はカバー部材９３が主制御装置９２に取り付けられている様子を説明するための説明図、図１８は主制御装置９２においてカバー部材９３が取り付けられた部分の断面図である。
【０１４１】
カバー部材９３は、ポリカーボネートなどといった無色透明の合成樹脂により、図１６（ａ），（ｂ）及び図１７に示すように、所定の内部空間１８５を有する直方体の箱状に形成されており、当該内部空間１８５を区画形成する複数（具体的には６個）の壁部はカバー部材９３の内外に電波が透過可能となっている。カバー部材９３の各壁部のうち所定の壁部１８６には、内部空間１８５をカバー部材９３の外部に開放させる開口部１８７が形成されている。以下、壁部１８６を開口用壁部１８６ともいう。
【０１４２】
開口部１８７は、図１６（ｂ）に示すように、開口用壁部１８６を挟んで対向する一対の壁部１８８，１８９のうち一方から他方に亘って形成されており、開口部１８７の周縁部の一部は各壁部１８８，１８９のそれぞれに対して内側に入り込むようにして形成されている。また、開口部１８７は、開口用壁部１８６に対して各壁部１８８，１８９側とは異なる方向にて隣り合う壁部１９０と開口用壁部１８６との境界に沿うようにして形成されている。
【０１４３】
カバー部材９３の内部空間１８５は、図１８に示すように、封印シール１６０が貼り付けられた表側固定ベース部１３１及び裏側固定ベース部１３２の全体を収容可能な大きさに形成されているとともに、開口部１８７は表側固定ベース部１３１及び裏側固定ベース部１３２の先端側からそれら両ベース部１３１，１３２を内部空間１８５内に差込可能な大きさに形成されている。なお、説明の便宜上、以下の説明では表側固定ベース部１３１及び裏側固定ベース部１３２の組み合わせを固定ベース１９１ともいう。
【０１４４】
カバー部材９３の両壁部１８８，１８９間の距離は固定ベース１９１において基板ボックス１０２の幅方向寸法と同一又はそれよりも若干大きく設定されており、これら両壁部１８８，１８９には開口部１８７の周縁部から開口用壁部１８６側の境界に向けて突出させて爪部１９２が一体形成されている。当該爪部１９２は弾性変形可能に形成されている。かかる爪部１９２に対応させて、図１７に示すように、基板ボックス１０２の表側固定ベース部１３１の側面には外方に突出させて受け部１９３が一体形成されている。カバー部材９３は、開口部１８７を介して内部空間１８５内に固定ベース１９１が差し込まれるように基板ボックス１０２に設置されており、その設置に際して爪部１９２が受け部１９３にて受けられることで基板ボックス１０２に固定されている。以下、各壁部１８８，１８９を係止用壁部１８８，１８９ともいう。
【０１４５】
基板ボックス１０２にカバー部材９３が固定されていることにより、固定ベース１９１の全体がカバー部材９３によって囲まれている。これにより、固定ベース１９１に貼り付けられた封印シール１６０がカバー部材９３により保護されることとなる。例えば、パチンコ機１０の出荷時などにはシュリンクフィルムを熱収縮させてパチンコ機１０が覆われることとなるが、主制御装置９２がパチンコ機１０の背面に露出している構成においては、シュリンクフィルムが熱収縮する際の収縮方向への負荷や熱などの封印シール１６０やＩＣタグ１６３への影響を抑えることが好ましく、上記のようにカバー部材９３が設けられていることにより上記影響を低減することができる。
【０１４６】
カバー部材９３は既に説明したように無色透明となっているため、上記のようにカバー部材９３が設けられた構成において、固定ベース１９１に貼り付けられた封印シール１６０をカバー部材９３外から目視確認することができる。なお、カバー部材９３は無色透明に限定されることはなく、カバー部材９３外から封印シール１６０を目視確認できるようにする上では、封印シール１６０を目視確認できる程度の透明性を有していればよく、有色透明であってもよい。また、カバー部材９３外から封印シール１６０を目視確認することはできなくなるが、カバー部材９３を不透明に形成してもよい。
【０１４７】
次に、カバー部材９３の各壁部と封印シール１６０との位置関係について説明する。
【０１４８】
図１８に示すように、カバー部材９３に対して固定ベース１９１はその全体が収容されており、開口用壁部１８６は表側構成体１１１において膨出部１１４の側面に対して側方から当接している。なお、膨出部１１４とカバー部材９３との間の隙間を少なくする上では上記のとおり膨出部１１４とカバー部材９３とが当接していることが好ましいが、開口用壁部１８６と膨出部１１４とが所定の間隔を開けて近接する構成としてもよい。
【０１４９】
開口用壁部１８６と開口部１８７を挟んで隣り合う壁部１９０は、既に説明したとおり開口部１８７が当該壁部１９０と開口用壁部１８６との境界に沿うようにして形成されているため、固定ベース１９１の裏面領域１３４側と重なり合っている。以下、当該壁部１９０を重なり壁部１９０ともいう。また、既に説明したとおり、係止用壁部１８８，１８９間の距離は固定ベース１９１において基板ボックス１０２の幅方向と同一又はそれよりも若干大きく設定されているため、図１７に示すように、これら係止用壁部１８８，１８９は固定ベース１９１の両側面と重なり合っている。
【０１５０】
上記構成において、図１８に示すように、開口用壁部１８６は開口部１８７の位置からその反対側の端部までの長さ寸法が、封印シール１６０において固定ベース１９１の表面領域１３３に貼り付けられた箇所と、重なり壁部１９０に対して対向する壁部１９４とが所定の距離を隔てるように設定されている。これにより、封印シール１６０において表面領域１３３に貼り付けられた箇所から当該壁部１９４の表面までの距離がＬ１となっている。以下、当該壁部１９４を第１離間壁部１９４ともいう。ちなみに、封印シール１６０と第１離間壁部１９４との間には電波を遮断する部材が設けられていない。
【０１５１】
また、重なり壁部１９０は開口部１８７の周縁部側の端部からその反対側の端部までの長さ寸法が、封印シール１６０において固定ベース１９１の側面領域１３５に貼り付けられた箇所と、開口用壁部１８６に対して対向する壁部１９５とが所定の距離を隔てるように設定されている。これにより、封印シール１６０において側面領域１３５に貼り付けられた箇所から当該壁部１９５の表面までの距離がＬ２となっている。かかる距離Ｌ２は、封印シール１６０において表面領域１３３に貼り付けられた箇所から第１離間壁部１９４までの距離Ｌ１よりも短く設定されている。以下、上記壁部１９５を第２離間壁部１９５ともいう。ちなみに、封印シール１６０と第２離間壁部１９５との間には電波を遮断する部材が設けられていない。
【０１５２】
封印シール１６０に設けられたＩＣタグ１６３の通信可能距離は、リーダ装置Ｒから所定の出力強度で呼出波が出力された場合に距離Ｌ３となるように設定されている。かかる距離Ｌ３は、封印シール１６０において表面領域１３３に貼り付けられた箇所から第１離間壁部１９４の表面までの距離Ｌ１及び封印シール１６０において側面領域１３５に貼り付けられた箇所から第２離間壁部１９５の表面までの距離Ｌ２よりも大きく設定されている。そして、ＩＣタグ１６３の通常の通信可能範囲Ｃ１には、第１離間壁部１９４の全体よりも外側が含まれているとともに、第２離間壁部１９５の全体よりも外側が含まれている。また、既に説明したとおりカバー部材９３の各壁部は電波を透過可能に形成されている。したがって、遊技ホールの管理者等はＩＣタグ１６３からＩＤ情報の読み取りを行う場合にカバー部材９３を基板ボックス１０２から取り外すことなく当該読み取り作業を行うことができる。
【０１５３】
また、第１離間壁部１９４の周縁部には、図１６（ｂ）及び図１８に示すように、開口用壁部１８６との境界の周縁部を除いて一連の突条部１９６が一体形成されており、かかる突条部１９６により区画された区画面１９７は平面状となっている。この場合、遊技ホールの管理者等はＩＣタグ１６３からＩＤ情報の読み取りを行う場合にリーダ装置Ｒの先端を上記区画面１９７に当接又は近接させることで、ＩＤ情報の読み取り作業を簡単且つ確実に行うことができる。つまり、区画面１９７はＩＤ情報の読み取り作業に際しての位置決め部として機能する。
【０１５４】
特に、主制御装置９２においてカバー部材９３が設けられた箇所は裏パックユニット１５により覆われておらず、さらに上記区画面１９７はパチンコ機１０後方を向いている。したがって、外枠１１に対して遊技機本体１２をパチンコ機１０前方に回動させることで、遊技ホールの管理者等は区画面１９７に対してリーダ装置Ｒを容易に近付けることができる。この点からも、ＩＤ情報の読み取り作業の作業性の向上が図られている。
【０１５５】
ちなみに、図５（ａ）や図１８に示すように、カバー部材９３において区画面１９７の取付台９１からの距離は膨出部１１４における膨出側の面の取付台９１からの距離と略同一となっている。つまり、区画面１９７は膨出部１１４における膨出側の面に対して略面一となっており、当該面に対して奥まった位置には配置されていない。奥まった位置に区画面１９７が配置されていると、リーダ装置Ｒの先端を当接又は近接させようとしてもそれが膨出部１１４に邪魔されて行いづらくなることが想定されるが、上記構成によればかかる不都合の発生が抑えられる。
【０１５６】
次に、基板ボックス１０２の不正開放の確認に関して上記カバー部材９３が設けられたことによる作用について説明する。
【０１５７】
既に説明したとおり、基板ボックス１０２の不正開放が行われた場合には、封印シール１６０に設けられたＩＣタグ１６３のアンテナ部材１７２において何らかの切断が発生することが期待される。そして、アンテナ部材１７２が切断された場合には、ＩＣタグ１６３が通信不可となることがある。この場合、遊技ホールの管理者等にとってはリーダ装置Ｒから呼出波を出力させてもＩＤ情報の読み取りを行えないことで、基板ボックス１０２の上記不正開放が行われたことを把握することができる。
【０１５８】
ＩＣタグ１６３が通信不可とならない場合であってもアンテナ部材１７２が切断された場合には、ＩＣタグ１６３の通信可能範囲が狭くなる。この場合に、封印シール１６０の各アンテナ用切り込み１７６は、任意のアンテナ用切り込み１７６からその延びる方向にアンテナ部材１７２が切断された場合には、図１８に示すように、ＩＣタグ１６３の通信可能距離が、封印シール１６０において表面領域１３３に貼り付けられた箇所から第１離間壁部１９４の表面までの距離Ｌ１よりも短いＬ４となるように形成されている。そうすると、ＩＣタグ１６３の通信可能範囲Ｃ２に区画面１９７が含まれなくなり、遊技ホールの管理者等がリーダ装置Ｒを区画面１９７に位置決めさせた状態でＩＤ情報の読み取りを行おうとしてもそれが不可となる。これにより、遊技ホールの管理者等は、基板ボックス１０２の不正開放が行われたことを把握することができる。
【０１５９】
また、遊技ホールの管理者等によっては区画面１９７にて位置決めさせることなく、例えば第２離間壁部１９５側からリーダ装置Ｒをカバー部材９３に近付けてＩＤ情報の読み取り作業を行うことが考えられる。この場合であっても、アンテナ部材１７２において切断が発生し、ＩＣタグ１６３の通信可能距離が上記Ｌ４となった場合には、ＩＣタグ１６３の通信可能範囲に第２離間壁部１９５が含まれなくなるため、ＩＤ情報の読み取りを行おうとしてもそれが不可となる。
【０１６０】
ちなみに、図５（ｂ）に示すように、カバー部材９３を基準として一方の係止用壁部１８８側の位置には音声ランプ制御装置６６が並設されており、さらに他方の係止用壁部１８９側の位置には払出制御装置８２が配置されている。したがって、遊技ホールの管理者等がいずれかの係止用壁部１８８，１８９側からリーダ装置Ｒを近付けようとしてもそれが規制される。よって、これら係止用壁部１８８，１８９が固定ベース１９１に重なる構成であり、アンテナ部材１７２に所定の切断が発生した状況で依然として通信可能範囲に係止用壁部１８８，１８９が含まれるとしても問題は生じない。
【０１６１】
同様に、図５（ｂ）に示すように、カバー部材９３を基準として重なり壁部１９０側の位置には取付台９１及び遊技盤３３が位置している。したがって、遊技ホールの管理者等が重なり壁部１９０側からリーダ装置Ｒを近付けようとしてもそれが規制される。よって、重なり壁部１９０が固定ベース１９１に重なる構成であり、アンテナ部材１７２に所定の切断が発生した状況において通信可能範囲に重なり壁部１９０が含まれるとしても問題は生じない。
【０１６２】
次に、パチンコ機１０の電気的構成について、図１９のブロック図に基づいて説明する。図１９では、電力の供給ラインを二重線矢印で示し、信号ラインを実線矢印で示す。
【０１６３】
主制御装置９２に設けられた主制御基板１０１には、主制御回路２０２と停電監視回路２０３とが内蔵されている。主制御回路２０２には、ＣＰＵチップ１０３が搭載されている。ＣＰＵチップ１０３には、当該ＣＰＵチップ１０３により実行される各種の制御プログラムや固定値データを記憶したＲＯＭ２０５と、そのＲＯＭ２０５内に記憶される制御プログラムの実行に際して各種のデータ等を一時的に記憶するためのメモリであるＲＡＭ２０６と、割込回路やタイマ回路、データ入出力回路などの各種回路が内蔵されている。
【０１６４】
ＣＰＵチップ１０３には、入力ポート及び出力ポートがそれぞれ設けられている。ＣＰＵチップ１０３の入力側には、主制御基板１０１に設けられた停電監視回路２０３、払出制御装置８２に設けられた払出制御基板２１１及びその他図示しないセンサ群などが接続されている。この場合に、停電監視回路２０３には電源及び発射制御装置８３に設けられた電源及び発射制御基板２１５が接続されており、ＣＰＵチップ１０３には停電監視回路２０３を介して電力が供給される。
【０１６５】
ここで、ＣＰＵチップ１０３の入力側に接続されるセンサ群の中には作動口３６の検知センサが含まれており、ＣＰＵチップ１０３では作動口３６への入賞を把握した場合に各種抽選を行う。この抽選には、遊技者に有利な大当たり状態（特別遊技状態）に移行させるか否かの大当たり抽選や、大当たり状態への移行当選となった場合に移行先の大当たり状態の種類を振り分けるための振り分け抽選が含まれる。また、これらの抽選に際してはＲＡＭ２０６に設けられた各種抽選用カウンタと、ＲＯＭ２０５に設けられた抽選用テーブルとが参照されるが、抽選用カウンタは２ｍｓｅｃや４ｍｓｅｃといった比較的短い周期で更新されるとともに作動口３６への入賞を契機としてその時点の抽選値が抽選用カウンタから取得される。また、ＣＰＵチップ１０３にて抽選が行われたことを契機として、メイン表示部としての第１特定ランプ部４３において所定期間に亘って１遊技回分の絵柄の変動表示が行われるが、ＣＰＵチップ１０３では当該１遊技回分の変動表示を行う場合の上記所定期間を抽選によって決定するとともに、当該第１特定ランプ部４３を表示制御する。なお、当該第１特定ランプ部４３において１遊技回の絵柄の変動表示が行われる場合には、それに合わせて図柄表示装置４１にて１遊技回分の図柄の変動表示や演出が行われる。
【０１６６】
一方、ＣＰＵチップ１０３の出力側には、停電監視回路２０３、払出制御基板２１１及び中継端子板２１９が接続されている。払出制御基板２１１には、賞球コマンドなどといった各種コマンドが出力される。中継端子板２１９を介して主制御回路２０２から音声ランプ制御装置６６に設けられた音声ランプ制御基板２２１に対して各種コマンドなどが出力される。
【０１６７】
停電監視回路２０３は、主制御回路２０２と電源及び発射制御基板２１５とを中継し、また電源及び発射制御基板２１５から出力される最大電圧である直流安定２４ボルトの電圧を監視する。
【０１６８】
払出制御基板２１１は、払出装置７８により賞球や貸し球の払出制御を行うものである。演算装置であるＣＰＵ２１２は、そのＣＰＵ２１２により実行される制御プログラムや固定値データ等を記憶したＲＯＭ２１３と、ワークメモリ等として使用されるＲＡＭ２１４とを備えている。
【０１６９】
払出制御基板２１１のＣＰＵ２１２には、入出力ポートが設けられている。ＣＰＵ２１２の入力側には、主制御回路２０２、電源及び発射制御基板２１５、及び裏パック基板が接続されている。また、ＣＰＵ２１２の出力側には、主制御回路２０２及び裏パック基板が接続されている。
【０１７０】
電源及び発射制御基板２１５は、電源部２１６と発射制御部２１７とを備えている。電源部２１６は、例えば、遊技場等における商用電源（外部電源）に接続されている。そして、その商用電源から供給される外部電力に基づいて主制御回路２０２や払出制御基板２１１等に対して各々に必要な動作電力を生成するとともに、その生成した動作電力を二重線矢印で示す経路を通じて主制御回路２０２や払出制御基板２１１等に対して供給する。発射制御部２１７は、遊技球発射機構５０の発射制御を担うものであり、遊技球発射機構５０は所定の発射条件が整っている場合に駆動される。
【０１７１】
音声ランプ制御基板２２１は、表示制御装置２２５を制御するものである。演算装置であるＣＰＵ２２２は、そのＣＰＵ２２２により実行される制御プログラムや固定値データ等を記憶したＲＯＭ２２３と、ワークメモリ等として使用されるＲＡＭ２２４とを備えている。
【０１７２】
音声ランプ制御基板２２１のＣＰＵ２２２には入出力ポートが設けられている。ＣＰＵ２２２の入力側には中継端子板２１９に中継されて主制御回路２０２が接続されており、主制御回路２０２から出力される各種コマンドに基づいて、表示制御装置２２５を制御する。表示制御装置２２５は、音声ランプ制御基板２２１から入力する表示コマンドに基づいて図柄表示装置４１を制御する。
【０１７３】
＜パチンコ機１０の管理システム＞
次に、多数の遊技機が設置される遊技ホールに製造メーカから上記パチンコ機１０が出荷された後において、当該パチンコ機１０の管理を行うための管理システムについて説明する。
【０１７４】
先ず、各パチンコ機１０に付与された各種のＩＤ情報についてあらためて以下に記述する。
（１）証紙ラベル１３８に記されたラベルＩＤ情報・・・同ラベル１３８は主制御装置９２の基板ボックス１０２に貼付され、主制御装置９２の製造メーカ名（例えば、（株）××物産）、製造番号（例えば、Ｎｏ．１２３）、及びＱＲコードが記されている。
（２）ＩＣタグ１６３のタグＩＤ情報・・・ＩＣタグ１６３は主制御装置９２の封印シール１６０に組み付けられ、タグＩＤ情報が格納されている。
【０１７５】
上記ＱＲコードに記憶されたラベルＩＤ情報、及びＩＣタグ１６３に記憶されたタグＩＤ情報について、図２０を参照しながら説明する。
【０１７６】
図２０（ａ）及び図２０（ｂ）に示すように、各ＩＤ情報には、第１識別部、第２識別部及び第３識別部が設定されており、これら各識別部がハイフン（「−」）により区画されている。第１識別部には製造メーカの情報が付されている。つまり、図２０（ａ）の製造メーカＭ１の各ＩＤ情報に示すように、各ＩＤ情報の第１識別部には全て「Ｍ１」が付されている。また、図２０（ｂ）の製造メーカＭ２の各ＩＤ情報に示すように、各ＩＤ情報の第１識別部には全て「Ｍ２」が付されている。
【０１７７】
第２識別部には、ＩＤ情報の種別が付されている。つまり、図２０（ａ）及び図２０（ｂ）に示すように、各ラベルＩＤ情報の第２識別部には全て「１」が付されており、各タグＩＤ情報の第２識別部には全て「２」が付されている。
【０１７８】
第３識別部には、製造番号等に関連した各製造メーカにおけるパチンコ機１０固有の番号が付されている。つまり、図２０（ａ―１）に示すように、一のパチンコ機１０におけるラベルＩＤ情報の第３識別部及びタグＩＤ情報の第３識別部にはいずれも「００１」が付されている。一方、図２０（ａ―１）及び図２０（ａ―２）に示すように、製造メーカＭ１における一のパチンコ機１０と他のパチンコ機１０とでは、上記第３識別部が相違している。同様に、図２０（ｂ―１）及び図２０（ｂ―２）に示すように、製造メーカＭ２における一のパチンコ機１０と他のパチンコ機１０とでは、上記第３識別部が相違している。
【０１７９】
上記のように第１〜第３識別部が設定されていることにより、一のパチンコ機１０に付されている複数種類のＩＤ情報が相違しているとともに、全てのパチンコ機１０で比べた場合においてもＩＤ情報が相違している。
【０１８０】
次に、遊技ホールＨ１において日常的に行われる管理の概要を説明する。図２１は日常的に行われる管理の概要を説明するための概略図である。
【０１８１】
図２１において、遊技ホールＨ１には多数のパチンコ機１０が設置されている。各パチンコ機１０の主制御装置９２には上述したとおり証紙ラベル１３８及びＩＣタグ１６３によって各種ＩＤ情報が付与されている。遊技ホールＨ１にはハンディタイプのホール側リーダ装置３０１が設けられているとともに、当該ホール側リーダ装置３０１により読み取られた各種ＩＤ情報を集約するホール側の管理コンピュータ３０２が設けられている。
【０１８２】
ちなみに、遊技ホールＨ１には各パチンコ機１０の出球管理等を行う、いわゆる「ホールコンピュータ」が設けられているが、上記の管理コンピュータ３０２はホールコンピュータとは別装置として構成されており、例えばノート型パソコンで具現化されている。但し、これに限定されることはなく、ホールコンピュータが上記の管理コンピュータ３０２の機能を果たす構成としてもよい。
【０１８３】
ここで、ホール側リーダ装置３０１の構成について図２２の概略図を用いて説明する。
【０１８４】
ホール側リーダ装置３０１は、その内部にＭＰＵ３０１ａを備えている。ＭＰＵ３０１ａには、当該ＭＰＵ３０１ａにより実行される各種の制御プログラムや固定値データを記憶したＲＯＭ３０１ｂと、そのＲＯＭ３０１ｂ内に記憶される制御プログラムの実行に際して各種の演算データや読み込んだＩＤ情報等を一時的に記憶するためのメモリであるＲＡＭ３０１ｃが内蔵されている。
【０１８５】
ホール側リーダ装置３０１には、各種ボタン類よりなり管理者等が入力操作を行う操作部３０１ｄと、液晶画面等よりなる表示部３０１ｅとが設けられている。操作部３０１ｄには一のパチンコ機１０に付与された各種ＩＤ情報の読み取りを開始する際に操作される読み取り開始ボタン、一のパチンコ機１０に付与された各種ＩＤ情報の読み取りを終了した際に操作される読み取り終了ボタン、ＲＡＭ３０１ｃに記憶されたＩＤ情報を呼び出すための呼び出しボタン、ＲＡＭ３０１ｃに記憶されたＩＤ情報を消去するための消去ボタン、ＲＡＭ３０１ｃに記憶されたＩＤ情報を管理コンピュータ３０２に出力するための出力ボタンなどが設けられている。そして、操作部３０１ｄはＭＰＵ３０１ａに接続されており、操作部３０１ｄにおける各種操作の情報はＭＰＵ３０１ａに出力され、当該ＭＰＵ３０１ａではその情報に基づき各種処理を行う。
【０１８６】
表示部３０１ｅもＭＰＵ３０１ａに接続されており、ＭＰＵ３０１ａの制御に基づいて情報読み取り順序の指定が行われる。この場合に、情報読み取り順序の指定は、操作部３０１ｄの読み取り開始ボタンが操作されることで開始される。また、操作部３０１ｄの呼び出しボタンが操作されることでＲＡＭ３０１ｃに記憶されたＩＤ情報が表示される。
【０１８７】
ホール側リーダ装置３０１には、ＱＲコード用回路３０１ｆ及びＱＲコード読み取り部３０１ｇが設けられており、さらにはタグ情報用回路３０１ｈ及びタグ情報読み取り部３０１ｉが設けられている。ＱＲコード用回路３０１ｆ及びＱＲコード読み取り部３０１ｇによりＱＲコード読み取り機能が果たされる。つまり、ＱＲコード用回路３０１ｆは、ＭＰＵ３０１ａに接続されており、ＭＰＵ３０１ａから読み取り開始信号を入力することで、ＱＲコード読み取り部３０１ｇにデータ読み取り開始を許可する。この場合に、ＱＲコードの読み取りは、上記のラベルにＱＲコード読み取り部３０１ｇを近接させて非接触の状態で行われる。そして、ＱＲコード読み取り部３０１ｇが読み取ったＩＤ情報は、ＱＲコード用回路３０１ｆを介してＭＰＵ３０１ａに出力され、ＲＡＭ３０１ｃにて記憶される。
【０１８８】
また、タグ情報用回路３０１ｈ及びタグ情報読み取り部３０１ｉによりタグ情報読み取り機能が果たされる。つまり、タグ情報用回路３０１ｈは、ＭＰＵ３０１ａに接続されており、ＭＰＵ３０１ａから読み取り開始信号を入力することで、タグ情報読み取り部３０１ｉにデータ読み取り開始を許可する。この場合に、タグ情報の読み取りは非接触の状態で行われる。そして、上述したＩＣタグ１６３からタグ情報読み取り部３０１ｉが読み取ったＩＤ情報は、タグ情報用回路３０１ｈを介してＭＰＵ３０１ａに出力されＲＡＭ３０１ｃにて記憶される。
【０１８９】
ホール側リーダ装置３０１には、信号送受信機能を備えた出力部３０１ｊが設けられている。出力部３０１ｊは、ＭＰＵ３０１ａに接続されており、操作部３０１ｄの出力ボタンが操作されることに基づいてＲＡＭ３０１ｃに記憶されたＩＤ情報が出力部３０１ｊから管理コンピュータ３０２に出力される。ＩＤ情報の出力は、有線通信により行われる。但し、これに限定されることはなく、赤外線や無線ＬＡＮ等を用いた無線通信により行ってもよい。
【０１９０】
出力部３０１ｊから出力され管理コンピュータ３０２に入力されたＩＤ情報は、ＲＡＭ３０１ｃから自動的に消去される。この自動的に消去する構成としては、管理コンピュータ３０２が正確に入力したＩＤ情報について確認信号をホール側リーダ装置３０１に出力し、ホール側リーダ装置３０１では入力した確認信号に対応したＩＤ情報をＲＡＭ３０１ｃから消去する構成が考えられる。
【０１９１】
以上の構成のホール側リーダ装置３０１におけるＩＤ情報の読み取りの流れを簡単に説明する。所定のパチンコ機１０に付与された各種ＩＤ情報の読み取りを開始する際には、先ず読み取り開始ボタンを入力する。これにより、ＱＲコード読み取り部３０１ｇ及びタグ情報読み取り部３０１ｉが読み取り可能状態となる。
【０１９２】
その後、表示部３０１ｅにて情報読み取り順序の指定が表示される。作業者は上記（１）〜（２）の各種ＩＤ情報をこの順序で読み取る。この読み取られたＩＤ情報はＲＡＭ３０１ｃに記憶される。なお、読み取りの順序を間違えた場合などは、呼び出しボタンを操作することで間違えたＩＤ情報を呼び出し、消去ボタンを操作することでそのＩＤ情報を消去することが可能である。
【０１９３】
その後、一のパチンコ機１０に付与された上記（１）〜（２）の全てのＩＤ情報を読み取った場合には、読み取り終了ボタンを操作する。これにより、ＱＲコード読み取り部３０１ｇ及びタグ情報読み取り部３０１ｉが読み取り不可状態となる。そして、以上のＩＤ情報の読み取りを複数のパチンコ機１０に対して行った後に、ホール側リーダ装置３０１の出力ボタンを操作する。これにより、管理コンピュータ３０２に対してＲＡＭ３０１ｃに記憶された全てのＩＤ情報が出力される。
【０１９４】
次に、管理コンピュータ３０２について説明する。
【０１９５】
管理コンピュータ３０２は、パチンコ機１０の管理プログラムを有する電子演算装置であり、その内部にＣＰＵと、当該ＣＰＵにより実行される各種の制御プログラムや固定値データを記憶したＲＯＭと、そのＲＯＭ内に記憶される制御プログラムの実行に際して各種のデータやホール側リーダ装置３０１から入力したＩＤ情報等を一時的に記憶するためのメモリであるＲＡＭと、を備えている。また、管理コンピュータ３０２は、各製造メーカＭ１，Ｍ２，Ｍ３・・・に設けられた管理サーバ装置としてのデータサーバ３１１との間で双方向の通信が可能となっている。
【０１９６】
管理コンピュータ３０２に付随させて設けられた操作部を通じて管理開始用の情報が入力されることで、管理コンピュータ３０２のＣＰＵにおいてパチンコ機管理処理が実行される。以下に、図２３に示すフローチャートを用いて遊技ホール側のパチンコ機管理処理を説明する。なお、当該パチンコ機管理処理は、管理実行状態下で繰り返し実行される。
【０１９７】
先ずステップＳ１０１では、上記管理開始用の情報が入力されているか否かを判定する。入力されていない場合には、そのまま本管理処理を終了する。入力されている場合には、ステップＳ１０２にてホール側リーダ装置３０１のＲＡＭ３０１ｃに記憶されている全てのＩＤ情報を取得したか否かを判定する。
【０１９８】
この判定は、ホール側リーダ装置３０１から出力完了信号を入力したか否かを判定することにより行う。つまり、ホール側リーダ装置３０１のＭＰＵ３０１ａでは、出力部３０１ｊからのＩＤ情報の出力に際して、ＲＡＭ３０１ｃに記憶された全てのＩＤ情報が出力されたか否かを判定し、記憶された全てのＩＤ情報が出力されたと判定した場合に、出力部３０１ｊから出力完了信号を出力する。
【０１９９】
ステップＳ１０２にて情報取得が未完であれば否定判定をし、再度ステップＳ１０２の処理を行う。その後、情報取得が完了することで肯定判定をし、ステップＳ１０３に進む。ステップＳ１０３では、取得したＩＤ情報を分類し認証用情報を作成する分類処理を行う。
【０２００】
分類処理について図２４を用いて説明する。管理コンピュータ３０２がホール側リーダ装置３０１からＩＤ情報を入力した段階では、管理コンピュータ３０２のＲＡＭにはホール側リーダ装置３０１にて情報を読み取った順序でＩＤ情報が記憶されている。そこで、分類処理では、最初に第１分類処理として各パチンコ機１０に対応させて各ＩＤ情報を分類する。
【０２０１】
詳細には、ホール側リーダ装置３０１から入力したＩＤ情報は、一のパチンコ機１０に対応させて２種類のＩＤ情報が存在する。そこで、これらＩＤ情報を一のリスト番号に対応させて分類する。この場合に、ホール側リーダ装置３０１では上述した通り所定の順序でＩＤ情報が読み取られる。したがって、入力した順序で２つのＩＤ情報を並べることで上記（１）〜（２）の順序となる。以上の第１分類処理が行われることで、図２４（ａ）に示すように一のパチンコ機１０（具体的にはリスト番号）に対応させてＩＤ情報をまとめることができる。
【０２０２】
第１分類処理を行った後は、第２分類処理としてパチンコ機１０ごとにまとめた各ＩＤ情報を製造メーカ毎に分類する。詳細には、各ＩＤ情報には、上述したとおり、第１識別部としてメーカ情報が付されている。そこで、第２分類処理では、この第１識別部の情報から製造メーカを識別し、製造メーカ毎に分類する。以上の第２分類処理が行われることで、第１分類処理にてまとめたＩＤ情報を、図２４（ｂ）及び図２４（ｃ）に示すように製造メーカ毎に分類することができる。
【０２０３】
ステップＳ１０３の分類処理を行った後は、ステップＳ１０４にて、上記分類処理において作成した各認証用情報を対応する製造メーカに送信する。この場合、各製造メーカにおいて認証用情報の送信元が遊技ホールＨ１であることを識別可能な情報を反映させた状態で認証用情報を送信する。その後、本管理処理を終了する。
【０２０４】
次に、各製造メーカＭ１，Ｍ２，Ｍ３，・・・のデータサーバ３１１について説明する。なお、以下の説明では、製造メーカＭ１のデータサーバ３１１について説明するが、他の製造メーカについても同様である。
【０２０５】
データサーバ３１１は、各遊技ホールＨ１，Ｈ２・・・に設けられたパチンコ機１０の管理プログラムを有する電子演算装置であり、その内部にＣＰＵと、当該ＣＰＵにより実行される各種の制御プログラムや固定値データを記憶したＲＯＭと、そのＲＯＭ内に記憶される制御プログラムの実行に際して各種のデータや管理コンピュータ３０２から入力したＩＤ情報等を一時的に記憶するためのメモリであるＲＡＭと、を備えている。
【０２０６】
ＲＯＭには管理データが記憶保持されている。この管理データを図２５に示す。管理データは、基本的にパチンコ機１０の出荷前に登録され記憶保持される。管理データには、各パチンコ機１０に付与された上記（１）〜（２）の各ＩＤ情報が相互に関連付けられ、さらには出荷先の遊技ホール名（店名）の情報と関連付けられた状態で記憶されている。
【０２０７】
なお、遊技ホールＨにおいては主制御装置９２の基板ボックス１０２を開封し主制御基板１０１の点検などといったメンテナンスを行う場合があり、メンテナンス後はその主制御装置９２が再度使用される。この場合、封印シール１６０は剥がされ、ＩＣタグ１６３のアンテナ部材１７２は分断されるため、その基板ボックス１０２に対して新たな封印シール１６０を貼り付ける必要がある。よって、製造メーカＭ１は封印シール１６０のみを出荷する必要がある。かかる封印シール１６０の出荷に際しては、製造メーカＭ１において、いずれのパチンコ機１０であるかを出荷先の遊技ホールに問い合わせ、管理データにおけるそのパチンコ機１０のタグＩＤ情報を更新するようにしてもよい。また、管理データはＲＯＭに記憶保持されている構成に限定されることはなく、ディスク媒体等の記憶媒体に管理データを書き込み、データサーバ３１１ではその記憶媒体から管理データを読み込む構成としてもよい。
【０２０８】
以上説明した管理データを用いてデータサーバ３１１のＣＰＵではメーカ側のパチンコ機管理処理が実行される。そこで、以下に図２６に示すフローチャートを用いてメーカ側のパチンコ機管理処理を説明する。なお、当該パチンコ機管理処理は、管理実行状態下で繰り返し実行される。
【０２０９】
先ずステップＳ２０１では、管理コンピュータ３０２から認証用情報を受信したか否かを判定する。認証用情報を受信していない場合には、そのまま本管理処理を終了する。認証用情報を受信している場合には、ステップＳ２０２にて、今回の受信に係る送信元の遊技ホールの情報を把握する。当該遊技ホールの情報は、既に説明したとおり、管理コンピュータ３０２から認証用情報を送信する場合に併せて送信される。
【０２１０】
続くステップＳ２０３では、管理データにおいてステップＳ２０２にて把握した遊技ホールの情報に対応したデータ群を絞り込むための検索処理を実行する。続くステップＳ２０４では、認証処理として、今回受信した認証用情報に含まれるラベルＩＤ情報とタグＩＤ情報との組み合わせが上記絞り込んだデータ群の中に全て存在しているか否かを判定する。具体的には、ラベルＩＤ情報及びタグＩＤ情報の組み合わせと、上記絞り込んだデータ群との照合を行い、当該データ群の中に一致する組み合わせが存在するか否かを判定する。
【０２１１】
続くステップＳ２０５では、認証結果送信処理を実行する。認証結果送信処理では、今回の認証処理の結果を、上記認証用情報の送信元の管理コンピュータ３０２に対して送信する。例えば、ラベルＩＤ情報とタグＩＤ情報との全組み合わせについて正常に認証処理が完了した場合には、その旨の認証結果の情報を管理コンピュータ３０２に送信する。これにより、管理コンピュータ３０２における液晶ディスプレイ等において全て正常である旨の情報が表示される。
【０２１２】
一方、正常に認証処理が完了しなかった場合には、上記認証用情報に含まれるリスト情報のうち正常ではないリスト情報を示す情報と、当該リスト情報に係るＩＤ情報のうち管理データに含まれていないＩＤ情報の種類の情報とを含む認証結果の情報を管理コンピュータ３０２に送信する。これにより、管理コンピュータ３０２における液晶ディスプレイ等において、異常が生じているパチンコ機１０の情報と、そのパチンコ機１０の証紙ラベル１３８及びＩＣタグ１６３のうちいずれが異常であるかを示す情報とが表示される。よって、遊技ホールにおいて主制御装置９２に対して不正行為が行われているか否かを把握することができる。
【０２１３】
次に、パチンコ機１０が中古品として流通する場合における管理の概要を説明する。図２７は中古品の流通に際して行われる管理の概要を説明するための説明図である。
【０２１４】
遊技ホールにおいて日常的に行われる各種ＩＤ情報の読み取り作業を通じた管理では、既に説明したとおり当該遊技ホールと製造メーカとの間で双方向に通信が行われるが、中古品の流通に際して行われる管理では、図２７に示すように、中間機関として、販売会社ＳＣと、販売会社の管理組合ＳＧと、メーカの管理組合ＭＧと、が介在する。
【０２１５】
販売会社ＳＣは、中古品を移動元の遊技ホールＨ１から移動先の遊技ホールＨ２に流通させる役割を担っており、中古品となったパチンコ機１０の製造メーカ直営であってもよく、直営でなくてもよい。当該販売会社ＳＣには、中古品を流通させる際に、当該中古品のパチンコ機１０に付されている証紙ラベル１３８及びＩＣタグ１６３からＩＤ情報を読み取り、さらにその読み取ったＩＤ情報を販売会社の管理組合ＳＧに送信するための確認用装置３２１が設けられている。
【０２１６】
確認用装置３２１は、流通確認用リーダ装置３２２と、流通確認用コンピュータ３２３とを備えており（これらについては図２８を参照）、販売会社ＳＣの従業員が中古品の移動元の遊技ホールＨ１へ携帯して持ち運びできるように構成されている。読み取ったＩＤ情報が確認用装置３２１から送信される場合には、当該ＩＤ情報だけでなく、中古品のパチンコ機１０の機種や製造メーカＭ１の情報と、移動元の遊技ホールＨ１の情報（例えば店舗名や住所の情報）と、移動先の遊技ホールＨ２の情報（例えば店舗名や住所の情報）と、その中古品の流通に携わっている販売会社ＳＣの情報とを含む流通確認用情報が送信される。
【０２１７】
なお、流通確認用情報として、読み取ったＩＤ情報と、移動元の遊技ホールＨ１の情報や移動先の遊技ホールＨ２の情報といった他の情報とがまとめて送信される構成に限定されることはなく、読み取ったＩＤ情報と上記その他の情報とが別々に送信される構成としてもよい。この場合、上記その他の情報については別データとしてデータ送信される構成としてもよく、別紙として郵送される構成としてもよい。
【０２１８】
販売会社の管理組合ＳＧは、多数存在する販売会社ＳＣを管理する機関である。販売会社の管理組合ＳＧには、販社組合側の通信部３３１が設けられており、確認用装置３２１から送信された流通確認用情報が当該販社組合側の通信部３３１にて受信される。なお、当該通信の構成は任意であり、汎用の通信回線や専用回線を用いる有線通信、又は無線通信が適宜適用できる。当該通信部３３１には販社組合側の確認用コンピュータが付随して設けられており、中古品の流通内容を示す情報が当該確認用コンピュータの記憶装置に蓄積される。
【０２１９】
中古品の流通内容を示す情報としては、中古品のパチンコ機１０の機種や製造メーカＭ１の情報と、移動元の遊技ホールＨ１の情報と、移動先の遊技ホールＨ２の情報と、その中古品の流通に携わっている販売会社ＳＣの情報とが含まれている。販売会社の管理組合ＳＧでは、上記中古品の流通内容を示す情報を、確認用コンピュータのディスプレイへの出力やプリント出力などを通じて確認することで、中古品の流通状況を把握することができる。また、確認用コンピュータに対する転送許可操作が行われることに基づき、上記流通確認用情報がメーカの管理組合ＭＧに転送される。なお、この転送に際して、流通確認用情報に対して、販売会社の管理組合ＳＧの情報や当該管理組合ＳＧにおいて許可を与えた旨の情報が付加される構成としてもよい。
【０２２０】
メーカの管理組合ＭＧは、多数存在する製造メーカＭ１を管理する機関である。メーカの管理組合ＭＧには、メーカ組合側の通信部３４１が設けられており、販社組合側の通信部３３１から転送された流通確認用情報が当該メーカ組合側の通信部３４１にて受信される。なお、当該通信の構成は任意であり、汎用の通信回線や専用回線を用いる有線通信、又は無線通信が適宜適用できる。当該通信部３４１にはメーカ組合側の確認コンピュータが付随して設けられており、中古品の流通内容を示す情報が当該確認用コンピュータの記憶装置に蓄積される。
【０２２１】
中古品の流通内容を示す情報は、販売会社の管理組合ＳＧについて説明した場合と同様である。メーカの管理組合ＭＧでは、上記中古品の流通内容を示す情報を、確認用コンピュータのディスプレイへの出力やプリント出力などを通じて確認することで、中古品の流通状況を把握することができる。また、確認用コンピュータに対する転送許可操作が行われることに基づき、上記流通確認用情報が今回の流通に係るパチンコ機１０の製造メーカＭ１に転送される。
【０２２２】
なお、この転送に際して、流通確認用情報に対して、メーカの管理組合ＭＧの情報や当該管理組合ＭＧにおいて許可を与えた旨の情報が付加される構成としてもよい。また、メーカの管理組合ＭＧには、製造メーカが相互に異なるパチンコ機１０の流通確認用情報が同時に送信されることも考えられるが、これに対して、当該メーカの管理組合ＭＧにおける確認用コンピュータでは、流通確認用情報に含まれる製造メーカの情報や各種ＩＤ情報の第１識別部の情報を参照して、製造メーカの種類に応じた流通確認用情報の分類処理を行い、その分類結果により作成された各流通確認用情報を対応する製造メーカに送信する構成としてもよい。
【０２２３】
メーカの管理組合ＭＧには、メーカ組合側の通信部３４１の他に、シール作成装置３４２が設けられている。当該シール作成装置３４２は、中古品の流通に際しての各種ＩＤ情報の確認が正常に完了していることを示す確認証明シール３５１を作成するための装置であり、確認証明シール３５１の表面に各種情報を印字するための印字部と、この印字する内容をシール作成装置３４２に外部入力するための操作部と、当該操作部から入力された内容を上記印字部により確認証明シール３５１の表面に印字させる制御部と、を備えている。なお、確認証明シール３５１の内容については後に説明する。
【０２２４】
製造メーカＭ１には既に説明したデータサーバ３１１が設けられているとともに、メーカ側の通信部３１２が設けられている。当該通信部３１２において、メーカ組合側の通信部３４１から転送された流通確認用情報が受信される。なお、当該通信の構成は任意であり、汎用の通信回線や専用回線を用いる有線通信、又は無線通信が適宜適用できる。また、遊技ホールの日常的な管理に係る上記認証用情報の受信及びそれに対する認証結果の情報の送信も、メーカ側の通信部３１２を介して行われるが、別の通信部が用いられる構成としてもよい。
【０２２５】
メーカ側の通信部３１２にて流通確認用情報を受信することで、データサーバ３１１において当該流通確認用情報に対する流通確認用処理が実行され、その確認結果である回答情報がメーカ側の通信部３１２からメーカ組合側の通信部３４１に送信される。
【０２２６】
上記流通確認用情報を通じた管理を行う場合には、図２７のＡ〜Ｊに示す流れで作業や情報のやり取りが行われる。以下、Ａ〜Ｊに示す流れについて説明する。
【０２２７】
先ず、Ａ〜Ｅに示す流れについて説明する。図２８（ａ）はパチンコ機１０から読み取ったＩＤ情報を含む流通確認用情報が送信される概要を説明するための説明図であり、図２８（ｂ）は流通確認用コンピュータ３２３にて実行される販社側の流通確認用処理を示すフローチャートである。
【０２２８】
確認用装置３２１は、既に説明したとおり流通確認用リーダ装置３２２と流通確認用コンピュータ３２３とを備えており、図２８（ａ）に示すように、これらが有線通信可能となるように接続されている。但し、これに限定されることはなく無線通信が行われる構成としてもよい。流通確認用リーダ装置３２２の構成は、上記ホール側リーダ装置３０１の構成と同様である。流通確認用リーダ装置３２２を用いて、中古品として流通されることとなるパチンコ機１０からラベルＩＤ情報及びタグＩＤ情報が読み取られる。
【０２２９】
流通確認用コンピュータ３２３は、流通確認用のプログラムを有する電子演算装置であり、その内部にＣＰＵと、当該ＣＰＵにより実行される各種の制御プログラムや固定値データを記憶したＲＯＭと、そのＲＯＭ内に記憶される制御プログラムの実行に際して各種のデータや流通確認用リーダ装置３２２から入力したＩＤ情報等を一時的に記憶するためのメモリであるＲＡＭと、を備えている。
【０２３０】
流通確認用コンピュータ３２３にはキーボードなどの操作部が付随して設けられている。当該操作部の操作により、流通確認用コンピュータ３２３に対して、中古品のパチンコ機１０の機種の情報と、製造メーカＭ１の情報と、移動元の遊技ホールＨ１の情報と、移動先の遊技ホールＨ２の情報と、その中古品の流通に携わっている販売会社ＳＣの情報と、を入力することができるようになっている。また、操作部を通じて確認開始用の情報が入力されることで、流通確認用コンピュータ３２３のＣＰＵにおいて販社側の流通確認用処理が実行される。以下に、図２８（ｂ）に示すフローチャートを用いて販社側の流通確認用処理を説明する。なお、当該流通確認用処理は、確認実行状態下で繰り返し実行される。
【０２３１】
先ずステップＳ３０１では、上記確認開始用の情報が入力されているか否かを判定する。入力されていない場合には、そのまま本流通確認用処理を終了する。入力されている場合には、ステップＳ３０２にて流通確認用リーダ装置３２２のＲＡＭに記憶されている全てのＩＤ情報を取得したか否かを判定する。
【０２３２】
この判定は、流通確認用リーダ装置３２２から出力完了信号を入力したか否かを判定することにより行う。つまり、流通確認用リーダ装置３２２のＭＰＵでは、当該流通確認用リーダ装置３２２の出力部からのＩＤ情報の出力に際して、ＲＡＭに記憶された全てのＩＤ情報が出力されたか否かを判定し、記憶された全てのＩＤ情報が出力されたと判定した場合に、出力部から出力完了信号を出力する。
【０２３３】
ステップＳ３０２にて情報取得が未完であれば否定判定をし、再度ステップＳ３０２の処理を行う。その後、情報取得が完了することで肯定判定をし、ステップＳ３０３に進む。ステップＳ３０３では、取得したＩＤ情報を分類し認証用情報を作成する分類処理を行う。
【０２３４】
当該分類処理では、上記ステップＳ１０３の分類処理と同様に、一のパチンコ機１０に対して一のリスト番号を割り当てるとともに、当該リスト番号に対して対応するラベルＩＤ情報とタグＩＤ情報との組み合わせを関連付ける。但し、販売会社ＳＣによる流通確認は一の製造メーカＭ１毎に行われ、製造メーカＭ１が異なる複数のパチンコ機１０に対してまとめて行われることがない。したがって、上記ステップＳ１０３の分類処理とは異なり、製造メーカ単位での分類は行われない。
【０２３５】
ステップＳ３０３の分類処理を行った後は、ステップＳ３０４にて、移動元の遊技ホールＨ１の情報を把握するとともに、ステップＳ３０５にて、移動先の遊技ホールＨ２の情報を把握し、さらにステップＳ３０６にて、その他の情報を把握する。その他の情報には、中古品のパチンコ機１０の機種の情報と、製造メーカＭ１の情報と、その中古品の流通に携わっている販売会社ＳＣの情報とが含まれる。これらの情報は、流通確認用コンピュータ３２３に対して確認開始用の情報が入力されるよりも前のタイミングで、当該流通確認用コンピュータ３２３に入力されている。但し、これに限定されることはなく、ステップＳ３０３の分類処理を行った後に、上記各情報の入力を販売会社ＳＣの従業員に要求し、当該入力が行われることでステップＳ３０４〜ステップＳ３０６の処理が進行していく構成としてもよい。
【０２３６】
ステップＳ３０４〜ステップＳ３０６の処理を実行した後は、ステップＳ３０７にて、流通確認用情報の送信処理を実行し、本流通確認用処理を終了する。流通確認用情報は、図２８（ａ）に示すように、流通確認用コンピュータ３２３から販売会社の管理組合ＳＧ→メーカの管理組合ＭＧ→製造メーカＭ１の順序で送信及び転送されていく（図２７のＢ〜Ｄの流れに対応）。
【０２３７】
上記のような流通確認用情報の取得及び送信を、販売会社ＳＣの従業員ではなく移動元の遊技ホールＨ１の管理者側で行う方法も考えられるが、この場合、中古品として流通させようとしているパチンコ機１０の主制御装置９２に不正が施されていて正規のＩＤ情報を読み取ることができないにも関わらず、不正が施される前のタイミングで確認しておいた正規のＩＤ情報を含む流通確認用情報を送信することが懸念される。これに対して、上記のように移動元の遊技ホールＨ１の管理者ではなく販売会社ＳＣの従業員により、流通確認用情報の取得及び送信を行うようにすることで、中古品の流通の管理を厳格に行うことができる。
【０２３８】
また、販売会社ＳＣが保有している確認用装置３２１によりＩＤ情報の取得及び送信を行うことで、ホール側リーダ装置３０１を具備していない遊技ホールに設置されているパチンコ機１０についても上記のような中古品の流通の管理を行うことができる。
【０２３９】
次に、製造メーカＭ１のデータサーバ３１１のＣＰＵにて実行されるメーカ側の流通確認用処理について、図２９のフローチャートを参照しながら説明する。なお、当該流通確認用処理は、確認実行状態下で繰り返し実行される。また、既に説明したメーカ側のパチンコ機管理処理（図２６）とは同期しないように処理タイミングがずらして設定されている。
【０２４０】
先ずステップＳ４０１では、流通確認用情報を受信したか否かを判定する。流通確認用情報を受信していない場合には、そのまま本流通確認用処理を終了する。流通確認用情報を受信している場合には、ステップＳ４０２にて、今回の移動元の遊技ホールＨ１の情報を把握する。当該移動元の遊技ホールＨ１の情報は、既に説明したとおり、流通確認用情報に含まれている。
【０２４１】
続くステップＳ４０３では、管理データにおいてステップＳ４０２にて把握した遊技ホールＨ１の情報に対応したデータ群を絞り込むための検索処理を実行する。続くステップＳ４０４では、認証処理として、今回受信した流通確認用情報に含まれるラベルＩＤ情報とタグＩＤ情報との組み合わせが上記絞り込んだデータ群の中に全て存在しているか否かを判定する。具体的には、ラベルＩＤ情報及びタグＩＤ情報の組み合わせと、上記絞り込んだデータ群との照合を行い、当該データ群の中に一致する組み合わせが存在するか否かを判定する。
【０２４２】
続くステップＳ４０５では、上記認証処理が正常に完了したか否かを判定する。正常に完了している場合には、ステップＳ４０６にて、今回の移動先の遊技ホールＨ２の情報を把握する。当該移動先の遊技ホールＨ２の情報は、既に説明したとおり、流通確認用情報に含まれている。
【０２４３】
続くステップＳ４０７では、管理データの更新処理を実行する。当該更新処理では、管理データのうち、今回認証を行ったラベルＩＤ情報及びタグＩＤ情報についての設置ホールの情報を、ステップＳ４０６にて把握した移動先の遊技ホールＨ２の情報に変更する処理を実行する。
【０２４４】
続くステップＳ４０８では、正常時の回答処理を実行する。正常時の回答処理では、ラベルＩＤ情報とタグＩＤ情報との全組み合わせについて正常に認証処理が完了したことを示す回答情報をメーカの管理組合ＭＧに送信する（図２７のＥの流れに対応）。その後、本流通確認用処理を終了する。
【０２４５】
一方、ステップＳ４０５にて、正常に完了していないと判定した場合には、ステップＳ４０９にて、異常時の回答処理を実行する。異常時の回答処理では、上記流通確認用情報に含まれるリスト情報のうち正常ではないリスト情報を示す情報と、当該リスト情報に係るＩＤ情報のうち管理データに含まれていないＩＤ情報の種類の情報とを含む回答情報をメーカの管理組合ＭＧに送信する（図２７のＥの流れに対応）。その後、本流通確認用処理を終了する。
【０２４６】
次に、図２７におけるＦ〜Ｊの流れについて説明する。
【０２４７】
製造メーカＭ１からメーカの管理組合ＭＧに送信された回答情報は、メーカ組合側の通信部３４１を介してメーカ組合側の確認コンピュータの記憶装置に蓄積される。メーカの管理組合ＭＧでは、回答情報の内容の確認を、確認用コンピュータのディスレプイへの出力や、プリント出力などを通じて行う。そして、メーカの管理組合ＭＧの職員などが回答情報の内容に応じた手続を行う。
【０２４８】
上記回答情報が異常時のものである場合には、その旨が販売会社の管理組合ＳＧに通知されるとともに（図２７のＦの流れに対応）、その回答結果が販売会社の管理組合ＳＧから販売会社ＳＣに通知される（図２７のＧの流れに対応）。当該異常時の内容の回答を得た販売会社ＳＣの従業員は、移動元の遊技ホールＨ１にその旨を伝え、異常であることが指摘されたパチンコ機１０の中古品としての流通を中止する又は主制御装置９２を正規のものに交換するといった対策を行わせる（図２７のＨの流れに対応）。
【０２４９】
一方、上記回答情報が正常時のものである場合には、メーカの管理組合ＭＧにおいて、シール作成装置３４２により確認証明シール３５１を作成する。当該確認証明シール３５１について図３０を用いて説明すると、粘着層が形成された貼付面とは反対側である表面には、確認証明シール３５１であることを示す情報が印字されている。また、表面には、中古品として流通することとなるパチンコ機１０の製造メーカＭ１の情報が印字されたメーカ情報の表示部３５１ａと、移動元の遊技ホールＨ１の情報が印字された移動元情報の表示部３５１ｂと、移動先の遊技ホールＨ２の情報が印字された移動先情報の表示部３５１ｃと、製造メーカＭ１において確認が完了した時点での日付の情報が印字された確認時情報の表示部３５１ｄとを有している。これら各表示部３５１ａ〜３５１ｄへの対応する情報の印字は、シール作成装置３４２により行われる。
【０２５０】
シール作成装置３４２により作成された確認証明シール３５１は、販売会社の管理組合ＳＧに発給されるとともに（図２７のＦの流れに対応）、その発給された確認証明シール３５１が販売会社の管理組合ＳＧから販売会社ＳＣに配布される（図２７のＧの流れに対応）。確認証明シール３５１の配布を受けた販売会社ＳＣの従業員は、移動元の遊技ホールＨ１において、中古品としての流通対象となっているパチンコ機１０に確認証明シール３５１を貼り付ける（図２７のＨの流れに対応）。この貼付位置は任意であるが、例えば基板ボックス１０２の表面において証紙ラベル１３８と並ぶ位置に貼り付けられる。
【０２５１】
その後、販売会社ＳＣの従業員は上記確認証明シール３５１を貼り付けたパチンコ機１０を中古品として回収するとともに（図２７のＩの流れに対応）、その回収したパチンコ機１０を移動先の遊技ホールＨ２に設置する（図２７のＪの流れに対応）。
【０２５２】
以上詳述した本実施形態によれば、以下の優れた効果を奏する。
【０２５３】
パチンコ機１０が中古品として流通することとなる場合には、パチンコ機１０が設置されている遊技ホールとは別に存在する製造メーカのデータサーバ３１１において管理データと各種ＩＤ情報との照合が行われ、当該パチンコ機１０が正規のものであるか否かの判断が行われる。したがって、中古品として流通されることとなるパチンコ機１０が不正なものである場合にはそれが製造メーカにて把握される。これにより、主制御装置９２に不正が施されたパチンコ機１０が中古品として他の遊技ホールにおいて使用されてしまう可能性が低減される。よって、中古品の流通管理を適切に行うことが可能となる。
【０２５４】
データサーバ３１１において照合を行わせるための各種ＩＤ情報の読み取りは、移動元の遊技ホールＨ１に流通対象のパチンコ機１０が存在している状況で行われる。これにより、パチンコ機１０の主制御装置９２に不正が施されている場合にはそれが中古品として実際に流通してしまう前に当該中古品としての流通を阻止することが可能となる。仮に、不正が施されていることが中古品として流通した後に判明したとすると、移動先の遊技ホールＨ２にとってはそのままでは使用することができないパチンコ機１０を購入してしまうこととなり、当該移動先の遊技ホールＨ２に過度な不利益を与えることとなってしまうが、上記のように移動元の遊技ホールＨ１において各種ＩＤ情報の読み取りが行われることで、そのような不都合の発生が抑えられる。
【０２５５】
管理データではＩＤ情報が、そのＩＤ情報に対応したパチンコ機１０が設置されている遊技ホールの情報と関連付けて設定されているため、パチンコ機１０の所在を製造メーカのデータサーバ３１１において把握することができる。よって、パチンコ機１０の所在の管理を適切に行うことが可能となる。また、パチンコ機１０が中古品として流通することとなる場合には、その移動先の遊技ホールの情報が製造メーカに送信され、当該情報について管理データの更新が行われるため、パチンコ機１０が中古品として流通したとしてもその所在の管理を適切に行うことが可能となる。そして、このようにパチンコ機１０の所在の管理を行うことで、例えば不正対策部品などを出荷後のパチンコ機１０に装着する必要が生じた場合には、当該装着作業を容易に行うことが可能となる。
【０２５６】
さらにまた、上記移動先の情報は、中古品として流通されることとなるパチンコ機１０が正規のものであるか否かの判断を製造メーカのデータサーバ３１１において行わせるべく、流通確認用リーダ装置３２２により読み取られたＩＤ情報が送信されるのに合わせて送信される。パチンコ機１０が正規のものであるか否かの問い合わせは遊技ホールにおいて積極的に行われるものと考えられ、かかる問い合わせに付随させて移動先の遊技ホールの情報を送信させることで、移動先の遊技ホールの情報の送信漏れが発生しづらくなることが期待され、パチンコ機１０の所在の管理をより確実に行うことが可能となる。
【０２５７】
中古品として流通されることとなるパチンコ機１０が正規のものであるか否かの判断をデータサーバ３１１において行わせる場合の通信経路に、販売会社ＳＣと、販売会社の管理組合ＳＧ及びメーカの管理組合ＭＧが中間機関として存在しているのに対して、遊技ホールにおいて日常的に行う不正の有無の確認に際しては通信経路に上記中間機関が存在しない。これにより、パチンコ機１０の流通管理を厳重に行えるようにしつつ、上記日常的な確認の作業効率を向上させることができる。
【０２５８】
中古品として流通されることとなるパチンコ機１０が正規のものであるとデータサーバ３１１において判断された場合には、確認証明シール３５１が当該パチンコ機１０に付与される。これにより、中古品の移動先の遊技ホールＨ２やパチンコ機１０の主制御装置９２が正規のものであるか否かを監視する監視機関（例えば、警察機関）は、確認証明シール３５１の有無を確認することで、中古品として流通したパチンコ機１０が正規のものであるかを把握することができる。よって、中古品として流通した後のパチンコ機１０が正規のものであるか否かの確認を容易に行うことができる。
【０２５９】
また、確認証明シール３５１の表面には、各種表示部３５１ａ〜３５１ｄを有しており、これら表示部３５１ａ〜３５１ｄを確認することで、当該確認証明シール３５１の付与の対象となった流通回と、同一のパチンコ機１０に係る他の流通回とを区別することが可能となる。よって、パチンコ機１０が複数回に亘って繰り返し流通することとなる場合であって後側の回の流通に際してデータサーバ３１１に対する問い合わせが行われていない場合であっても、いずれのタイミングの再流通までが正規に行われているかを、確認証明シール３５１を通じて把握することができる。
【０２６０】
なお、上述した実施形態の記載内容に限定されず、例えば次のように実施してもよい。ちなみに、以下の別形態の構成を、上記実施形態における構成に対して、個別に適用してもよく、相互に組み合わせて適用してもよい。
【０２６１】
・パチンコ機１０が中古品として流通する場合に読み取られたＩＤ情報と管理データとの照合を、製造メーカ以外にて行うようにしてもよい。例えば、メーカの管理組合ＭＧにおいて行うようにしてもよく、販売会社の管理組合ＳＧにおいて行うようにしてもよく、販売会社ＳＣにおいて行うようにしてもよく、それ以外の機関において行うようにしてもよい。これらの場合、上記照合を行う主体の機関に、管理データを有するデータサーバ３１１が設けられている必要がある。また、製造メーカ、メーカの管理組合ＭＧ、販売会社の管理組合ＳＧ、販売会社ＳＣ及びその他の機関のうち、複数の機関において上記照合が行われる構成としてもよい。
【０２６２】
・中古品として流通することとなるパチンコ機１０が正規のものであるか否かの判断が、当該パチンコ機１０が移動元の遊技ホールＨ１に存在している状況ではなく、移動先の遊技ホールＨ２に搬入された後に行われるようにしてもよい。この場合、パチンコ機１０が移動先の遊技ホールＨ２に到着した後に、販売会社ＳＣの従業員又は移動先の遊技ホールの管理者によって各種ＩＤ情報の読み取りを行い、製造メーカなどといった上記照合を行う機関にその読み取った各種ＩＤ情報を送信するようにすればよい。本構成の場合、不正が施されたパチンコ機１０が移動先の遊技ホールＨ２に搬入されてしまう可能性はあるが、移動元の遊技ホールＨ１から移動先の遊技ホールＨ２への搬送過程において不正が行われた場合であってもそれを見つけ出すことが可能となる。
【０２６３】
また、中古品として流通することとなるパチンコ機１０が正規のものであるか否かの判断が、パチンコ機１０の流通過程において行われるようにしてもよい。例えば、販売会社ＳＣにおいてパチンコ機１０を中古品として回収した後に、上記判断が行われるようにしてもよい。
【０２６４】
・中古品として流通することとなるパチンコ機１０から販売会社ＳＣがＩＤ情報を読み取る場合、ホール側リーダ装置３０１を用いるようにしてもよい。この場合、ホール側リーダ装置３０１にて読み取ったＩＤ情報を流通確認用コンピュータ３２３に送信するようにしてもよく、確認用装置３２１の全体を不具備とし、ホール側の管理コンピュータ３０２を利用して、製造メーカなどといった上記照合を行う機関に各種ＩＤ情報を送信するようにしてもよい。
【０２６５】
・遊技ホールに設置されているパチンコ機１０に係る各種ＩＤ情報が設定された管理データが、当該遊技ホール自身において保管されていてもよい。この場合、遊技ホールにおいて日常的に不正の有無を確認する場合には、製造メーカなどへの問い合わせを行わずに、独自に所有している管理データを用いて当該確認を行うことができる。
【０２６６】
・中古品の流通管理を行うための機関として、パチンコ機１０からＩＤ情報を読み取る機関、中古品として流通することとなるパチンコ機１０が正規のものであるか否かを判断する機関、及び確認証明シール３５１の発給元となる機関のみが存在するようにしてもよい。例えば上記実施形態において中間機関として販売会社の管理組合ＳＧが介在しないようにしてもよい。
【０２６７】
また、パチンコ機１０からＩＤ情報を読み取る機能、中古品として流通することとなるパチンコ機１０が正規のものであるか否かを判断する機能、及び確認証明シール３５１の発給元となる機能が全て一の機関に集約されていてもよい。この場合、当該機関以外は、パチンコ機１０の管理に参加しないようにしてもよい。
【０２６８】
・確認証明シール３５１の発給元はメーカの管理組合ＭＧに限定されることはなく、例えば製造メーカであってもよく、販売会社の管理組合ＳＧであってもよく、販売会社ＳＣであってもよく、これら以外の機関であってもよい。上記実施形態において確認証明シール３５１の発給元を製造メーカとした場合、中古品として流通することとなるパチンコ機１０が正規のものであるか否かを判断する主体と、確認証明シール３５１の発給元とが同一の機関となるため、この場合にはメーカの管理組合ＭＧが中間機関として存在しないようにしてもよい。
【０２６９】
・確認証明シール３５１の表示部３５１ａ〜３５１ｄの内容を上記実施形態と異ならせてもよい。例えば、上記各表示部３５１ａ〜３５１ｄのうち、移動先の遊技ホールＨ２の情報が印字された移動先情報の表示部３５１ｃは有するが、他は不具備となっている構成としてもよい。この場合であっても、同一の遊技ホールに対して繰り返し流通されることさえなければ、確認証明シール３５１がいずれの流通回に対して付与されたものであるかを認識することは可能である。
【０２７０】
また、上記各表示部３５１ａ〜３５１ｄのうち、移動元の遊技ホールＨ１の情報が印字された移動元情報の表示部３５１ｂ、及び移動先の遊技ホールＨ２の情報が印字された移動先情報の表示部３５１ｃは有するが、他は不具備となっている構成としてもよい。この場合、同一の遊技ホールに対して繰り返し流通されたとしても、確認証明シール３５１がいずれの流通回に対して付与されたものであるかを認識することは可能である。
【０２７１】
また、上記各表示部３５１ａ〜３５１ｄのうち、製造メーカＭ１において確認が完了した時点での日付の情報が印字された確認時情報の表示部３５１ｄは有するが、他は不具備となっている構成としてもよい。また、上記各表示部３５１ａ〜３５１ｄに代えて又は加えて、移動元の遊技ホールＨ１からパチンコ機１０が回収された日付の情報が印字された表示部や、移動先の遊技ホールＨ２へパチンコ機１０が設置された日付の情報が印字された表示部を有する構成としてもよい。また、流通回を特定することはできなくなるが、流通回を特定するための表示部３５１ａ〜３５１ｄが存在しない構成としてもよい。
【０２７２】
また、確認証明シール３５１に対して、当該シール３５１が貼り付けられることとなる主制御装置９２の製造番号や当該主制御装置９２に取り付けられているＩＣタグ１６３のタグＩＤ情報が付されている構成としてもよく、確認証明シール３５１の発給番号が付されている構成としてもよい。
【０２７３】
また、確認証明シール３５１にＩＣタグやＱＲコードを付与し、これらに対して各種情報が登録されている構成としてもよい。また、確認証明シール３５１を、封印シール１６０のように一旦剥がした場合には再貼り付け不可である構成や、剥がした際の痕跡が残る構成としてもよく、確認証明シール３５１にＩＣタグを取り付ける場合には当該確認証明シール３５１の引き剥がしに際してＩＣタグのアンテナ部材などが破壊される構成としてもよい。
【０２７４】
・中古品として流通することとなるパチンコ機１０が正規のものであることを示す確認証明部材として、確認証明シール３５１に代えて又は加えて、パチンコ機１０に取り付けられるのではなく移動先の遊技ホールＨ２において管理される確認証明用札が付与されるようにしてもよい。また、確認証明部材が付与されないようにしてもよい。この場合、確認証明データの送信や確認証明に対応した連絡が、販売会社ＳＣや移動先の遊技ホールＨ２になされるようにすることで、パチンコ機１０を中古品として流通させていいか否か又は中古品としてそのまま使用していいいか否かの判断を行うことは可能である。
【０２７５】
・証紙ラベル１３８を、主制御装置９２の基板ボックス１０２ではなく、主制御基板１０１に貼り付けてもよく、ＣＰＵチップ１０３に貼り付けてもよい。また、主制御装置９２の取付台９１や遊技盤３３に貼り付けてもよい。
【０２７６】
・証紙ラベル１３８やＩＣタグ１６３といった識別用部材が、パチンコ機１０において主制御装置９２以外の箇所に取り付けられていてもよい。例えば、識別用部材が遊技盤３３に取り付けられていてもよく、内枠１３に取り付けられていてもよい。この場合、主制御装置９２単品の交換や、主制御装置９２のみを中古品として流通させるようにしたとしても、その流通に際して管理データの更新を行うことで、パチンコ機１０の主制御装置９２以外の部分と主制御装置９２とを対応付けた状態で管理を行うことが可能となる。また、遊技盤３３や内枠１３の単品での交換や、これらのみを中古品として流通させるようにしたとしても、その流通に際して管理データの更新を行うことで、そられ各単品の管理を行うことも可能となる。
【０２７７】
また、上記のように主制御装置９２以外にも識別用部材が取り付けられる構成においては、確認証明シール３５１といった確認証明部材が識別用部材の取り付け対象の部品ごとに付与されるようにするとよい。これにより、パチンコ機１０が中古品として一旦流通した後に、一部の部品の交換が行われたとしても、そのパチンコ機１０に確認証明部材が残るようにすることができる。
【０２７８】
・ラベルＩＤ情報やタグＩＤ情報の内容は上記実施形態のものに限定されることはなく任意である。例えば、第１識別部、第２識別部及び第３識別部といったように区別されておらず、製造メーカの情報やＩＤ情報の種別の情報を有さないようにしてもよい。この場合、タグＩＤ情報は、１６進数で３２桁の情報として設定されていてもよく、ラベルＩＤ情報はそれよりも情報量が少ない、同一又は多い構成としてもよい。
【０２７９】
また、上記のように各識別部に区別されている構成において、一のパチンコ機１０に付与されるラベルＩＤ情報の第３識別部とタグＩＤ情報の第３識別部とが同一である必要はなく、相互に相違している構成としてもよい。この場合、一のパチンコ機１０からラベルＩＤ情報及びタグＩＤ情報を読み取る場合に、その読み取り作業に際して、一のパチンコ機１０の各ＩＤ情報を相互に関連付けた状態でリーダ装置などに記憶させることで、上記のように第３識別部が相違していたとしても、一のパチンコ機１０から読み取った各ＩＤ情報を関連付けることは可能である。
【０２８０】
・中古品として流通されることとなるパチンコ機１０が正規のものであるか否かの判断が行われる場合に、当該パチンコ機１０から読み取られたＩＤ情報が送信及び転送される機関の数又は種類が、ＩＤ情報の認証を行った後の回答の伝達に介在する機関と相違するようにしてもよい。
【０２８１】
・上記実施形態は、遊技ホール側の管理装置として、ホール側リーダ装置３０１とホール側の管理コンピュータ３０２とを設けたが、これを変更し、例えば、上述した管理コンピュータ３０２の機能をホール側リーダ装置３０１に付加してもよい。
【０２８２】
・情報読み取り装置としての各種リーダ装置３０１，３２２は、単一の情報形態のみを読み取り可能なものであっても良い。この場合、ＱＲコード読み取り機能を有するリーダ装置と、タグ情報読み取り機能を有するリーダ装置とを個別に用意する。
【０２８３】
・ＩＣタグ１６３を有する封印シール１６０を、主制御装置９２の基板ボックス１０２外面側に貼り付ける構成としたが、これに代えて、例えば、同基板ボックス１０２の内面側に貼り付けても良い。また、基板ボックス１０２を構成する樹脂材にＩＣタグ１６３を埋設しても良い。さらに、ＩＣタグ１６３を有するシール部材を主制御基板１０１に直接貼り付けても良い。
【０２８４】
・封印シール１６０において、ＩＣチップ１７１から延びる長尺状のアンテナ部材１７２を直線状とする以外に、細かなうねりや凹凸を有する略直線状としたり、弧状としたりすることも可能である。また、封印シール１６０の形状を、菱形状、円形状（楕円状を含む）、三角状、Ｌ字状、十字状などに変更することも可能である。
【０２８５】
・主制御装置９２に代えて又は加えて、払出制御装置８２に証紙ラベル１３８や封印シール１６０を貼り付けて管理を行うようにしてもよく、払出装置７８に証紙ラベル１３８や封印シール１６０を貼り付けて管理を行うようにしてもよく、一般入賞口３４（又はその検知センサ）、可変入賞装置３５（又はその検知センサ）、及び作動口３６（又はその検知センサ）のいずれかに証紙ラベル１３８や封印シール１６０を貼り付けて管理を行うようにしてもよい。
【０２８６】
・証紙ラベル１３８に代えてＩＣタグを取り付けることで、読み取り対象のＩＤ情報が全てＩＣタグに設定されている構成としてもよい。
【０２８７】
・上記実施形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも適用できる。
【０２８８】
また、弾球式でない遊技機、例えば、複数種の図柄が周方向に付された複数のリールを備え、メダルの投入及びスタートレバーの操作によりリールの回転を開始し、ストップスイッチが操作されるか所定時間が経過することでリールが停止した後に、表示窓から視認できる有効ライン上に特定図柄又は特定図柄の組合せが成立していた場合にはメダルの払い出し等といった特典を遊技者に付与するスロットマシンにも適用できる。
【０２８９】
また、取込装置を備え、貯留部に貯留されている所定数の遊技球が取込装置により取り込まれた後にスタートレバーが操作されることによりリールの回転を開始する、パチンコ機とスロットマシンとが融合された遊技機にも適用できる。
【０２９０】
＜上記実施形態から抽出される発明群について＞
以下、上述した実施形態から抽出される発明群の特徴について、必要に応じて効果等を示しつつ説明する。なお以下においては、理解の容易のため、上記各実施形態において対応する構成を括弧書き等で適宜示すが、この括弧書き等で示した具体的構成に限定されるものではない。
【０２９１】
特徴１．遊技場（遊技ホールＨ１）に設置された遊技機（パチンコ機１０）又は当該遊技機に搭載された特典の付与に係る遊技機部品（主制御装置９２）を管理対象とし、個別に付与された識別情報を有する識別用部材（証紙ラベル１３８、ＩＣタグ１６３）を前記管理対象に取り付けておくとともに、前記識別用部材の識別情報を情報読み取り装置（ホール側リーダ装置３０１、流通確認用リーダ装置３２２）により読み取り可能とした遊技機の管理システムにおいて、
前記識別用部材の識別情報を有する管理データを、前記管理対象が設置されている遊技場以外で保管するデータ保管手段（データサーバ３１１）を備え、
当該データ保管手段は、前記管理対象が既に設置されている遊技場（遊技ホールＨ１）から他の遊技場（遊技ホールＨ２）へ再流通することとなる場合又は再流通した場合に、前記識別用部材から前記情報読み取り装置により読み取られた識別情報と、前記管理データとを照合することに基づき、流通対象となっている前記管理対象が正規のものであるか否かを判断することを特徴とする遊技機の管理システム。
【０２９２】
特徴１によれば、管理対象が中古品として流通することとなる場合又は流通した場合には、管理対象が設置されている遊技場とは別に存在するデータ保管手段において管理データと識別情報との照合が行われ、当該管理対象が正規のものであるか否かの判断が行われるため、中古品として流通されることとなる管理対象が不正なものである場合にはそれがデータ保管手段にて把握される。これにより、不正な管理対象が中古品として他の遊技場において使用されてしまう可能性が低減される。よって、信頼性の高い遊技機管理を実行することが可能となる。
【０２９３】
特徴２．前記識別用部材から前記情報読み取り装置により読み取られた識別情報を前記データ保管手段に送信する送信手段（流通確認用コンピュータ３２３、販社組合側の通信部３３１、メーカ組合側の通信部３４１）を備えていることを特徴とする特徴１に記載の遊技機の管理システム。
【０２９４】
特徴２によれば、データ保管手段において識別情報の照合を行う場合の作業効率の向上が図られる。
【０２９５】
特徴３．前記送信手段は、前記管理対象が前記再流通することとなる場合に、前記既に設置されている遊技場において前記識別用部材から前記情報読み取り装置により読み取られた識別情報を前記データ保管手段に送信することを特徴とする特徴２に記載の遊技機の管理システム。
【０２９６】
特徴３によれば、管理対象が元の遊技場に設置されている状況において当該管理対象が正規のものであるか否かを把握することができるため、管理対象が不正なものである場合にはそれが中古品として実際に流通してしまう前に当該中古品としての流通を阻止することが可能となる。
【０２９７】
特徴４．前記管理データでは、前記管理対象が設置されている遊技場の情報と対応付けて前記識別情報が設定されており、
前記送信手段は、前記管理対象が前記再流通することとなる場合又は再流通した場合に、前記識別用部材から前記情報読み取り装置により読み取られた識別情報を前記データ保管手段に出力するための第１出力手段（流通確認用コンピュータ３２３、販社組合側の通信部３３１及びメーカ組合側の通信部３４１において各種ＩＤ情報を送信する機能）と、流通先の遊技場の情報を出力するための第２出力手段（流通確認用コンピュータ３２３、販社組合側の通信部３３１及びメーカ組合側の通信部３４１において流通確認用情報のうち各種ＩＤ情報以外の情報を送信する機能）と、を備え、
さらに、前記送信手段により前記識別情報とともに前記流通先の遊技場の情報が送信された場合に、前記管理データにおける当該識別情報に対応した前記遊技場の情報を更新する更新手段（データサーバ３１１におけるステップＳ４０７の処理を実行する機能）を備えていることを特徴とする特徴２又は３に記載の遊技機の管理システム。
【０２９８】
特徴４によれば、管理データにおいて識別情報が、その識別情報に対応した管理対象が設置されている遊技場の情報と対応付けて設定されているため、管理対象の所在をデータ保管手段において把握することができる。よって、管理対象の所在の管理を適切に行うことが可能となる。
【０２９９】
また、管理対象が中古品として流通することとなる場合又は流通した場合には、その流通先の遊技場の情報がデータ保管手段に送信され、当該情報について管理データの更新が行われるため、管理対象が中古品として流通したとしてもその所在の管理を適切に行うことが可能となる。
【０３００】
さらにまた、上記流通先の情報は、中古品として流通されることとなる管理対象が正規のものであるか否かの判断をデータ保管手段において行わせるべく、情報読み取り装置により読み取られた識別情報が送信されるのに合わせて送信される。流通されることとなる管理対象が正規のものであるか否かの問い合わせは遊技場において積極的に行われるものと考えられ、かかる問い合わせに付随させて流通先の遊技場の情報を送信させることで、流通先の遊技場の情報の送信漏れが発生しづらくなることが期待され、管理対象の所在の管理をより確実に行うことが可能となる。
【０３０１】
特徴５．前記送信手段は、前記再流通に際しての前記判断のために前記識別情報が送信される前記データ保管手段への送信経路に、前記遊技場及び前記データ保管手段のいずれでもない中間機関（販売会社の管理組合ＳＧ、メーカの管理組合ＭＧ）が含まれるように、前記識別情報の送信を行うことを特徴とする特徴２乃至４のいずれか１に記載の遊技機の管理システム。
【０３０２】
特徴５によれば、管理対象が中古品として流通されることを中間機関において把握させることが可能となり、管理対象の流通管理を厳重に行うことが可能となる。
【０３０３】
特徴６．前記送信手段は、前記管理対象が設置されている遊技場において当該管理対象を正常な状態で使用するために前記識別用部材から前記情報読み取り装置により読み取られた識別情報を前記データ保管手段に送信する場合、前記中間機関を含まない他の送信経路により前記識別情報の送信を行うことを特徴とする特徴５に記載の遊技機の管理システム。
【０３０４】
特徴６によれば、管理対象が設置されている遊技場において日常的に行われる不正の有無の確認については中間機関が介在しないようにすることで、管理対象の流通管理を厳重に行えるようにしつつ、上記日常的な確認の作業効率を向上させることができる。
【０３０５】
特徴７．前記管理対象ごとに前記識別用部材を複数取り付け、それら複数の識別用部材ごとの識別情報をすべて対応付けて前記管理データが作成されており、
さらに、前記送信手段は、前記情報読み取り装置により前記複数の識別用部材の識別情報を読み取って前記データ保管手段に送信するとともに、その送信を行う場合、同一管理対象ごとに分類した状態で前記識別情報を送信することを特徴とする特徴２乃至６のいずれか１に記載の遊技機の管理システム。
【０３０６】
特徴７によれば、複数の識別用部材の識別情報によって遊技機の管理が行われるため、その管理の信頼性を高めることができる。また、データ保管手段に識別情報が送信される場合、同一管理対象ごとに分類された状態で識別情報が送信され、さらに管理データは複数の識別用部材ごとに識別情報がすべて対応づけて作成されている。よって、管理対象単位で識別情報と管理データとの照合が行われ、管理対象ごとに識別情報が複数設定された構成においてデータ保管手段における正規のものであるか否かの判断を円滑に行うことができる。
【０３０７】
特徴８．前記複数の識別用部材において、各識別用部材ごとに付与した識別情報の情報形態が異なるものを含むことを特徴とする特徴７に記載の遊技機の管理システム。
【０３０８】
特徴８によれば、各識別用部材において、識別情報の情報形態が異なったものを含ませることにより、識別用部材の偽造を困難なものとすることができる。
【０３０９】
特徴９．前記データ保管手段において前記管理対象が正規のものであると判断された旨の情報を返信するための返信手段（メーカ側の通信部３１２、確認証明シール３５１）を有することを特徴とする特徴１乃至８のいずれか１に記載の遊技機の管理システム。
【０３１０】
特徴９によれば、管理対象の流通先の遊技場や管理対象を中古品として取り扱う業者などは正規のものであると判断された旨の情報をデータ保管手段側から受けることで、中古品として流通する管理対象が正規のものであるかを把握することができる。
【０３１１】
特徴１０．前記データ保管手段において前記管理対象が正規のものであると判断された場合に付与される確認証明手段（確認証明シール３５１）を有することを特徴とする特徴１乃至８のいずれか１に記載の遊技機の管理システム。
【０３１２】
特徴１０によれば、管理対象の流通先の遊技場や管理対象が正規のものであるか否かを監視する監視機関は、確認証明手段の有無などを確認することで、中古品として流通した管理対象が正規のものであるかを把握することができる。よって、中古品として流通した後の管理対象が正規のものであるか否かの確認を容易に行うことができる。
【０３１３】
特徴１１．前記確認証明手段は、その付与の対象となった前記再流通と、当該確認証明手段の付与に係る前記管理対象に対して行われる他の再流通とを区別することが可能な情報（表示部３５１ａ〜３５１ｄ）を有することを特徴とする特徴１０に記載の遊技機の管理システム。
【０３１４】
特徴１１によれば、管理対象が複数回に亘って繰り返し流通することとなる場合であって後側の回の流通に際してデータ保管手段に対する問い合わせが行われていない場合であっても、いずれのタイミングの再流通までが正規に行われているかを、確認証明手段を通じて把握することができる。
【０３１５】
特徴１２．前記識別用部材として、前記識別情報を記憶保持するＩＣチップ（ＩＣチップ１７１）と、その識別情報を発信するアンテナ部材（アンテナ部材１７２）とを備えた電子タグ（ＩＣタグ１６３）が用いられていることを特徴とする特徴１乃至１１のいずれかに記載の遊技機の管理システム。
【０３１６】
特徴１２によれば、電子タグにおいて、アンテナ部材によって識別情報の送信が可能となっている。この場合、情報読み取り装置によって、非接触で識別情報の読み取りが可能となる。
【０３１７】
特徴１３．一方の面に粘着層（粘着層１６２）を有するとともに前記管理対象への貼付状態から剥がす際にその応力に伴い破損が生じる程度の脆弱性を有するベースシート（ベースシート１６１）の粘着層側に、長尺状をなす前記アンテナ部材を直線状、略直線状又は弧状に曲げた状態で前記電子タグを貼り付けてシール部材（封印シール１６０）が構成されているとともに、そのシール部材が前記管理対象に貼り付けられていることを特徴とする特徴１２に記載の遊技機の管理システム。
【０３１８】
特徴１３によれば、電子タグを、ベースシートに覆われるようにして管理対象に貼り付けることができ、同電子タグの保護を図ることができる。また、ベースシートは一旦貼り付けた後は、剥がす際の応力により破損するため、その破損に伴って長尺状のアンテナ部材にも破損が生じる。したがって、シール部材を剥がす場合には電子タグの破損を招くこととなり、電子タグを取り出そうとする不正行為が抑制できる。
【０３１９】
特徴１４．前記管理対象は、複数に分割可能な基板ボックス（基板ボックス１０２）内に制御基板（主制御基板１０１）を収容して構成された制御装置（主制御装置９２）であり、前記基板ボックスの分割部分を跨ぐようにして前記シール部材が貼り付けられていることを特徴とする特徴１３に記載の遊技機の管理システム。
【０３２０】
特徴１４によれば、基板ボックスの分割部分を跨ぐようにしてシール部材が貼り付けられているため、制御基板の取り出しや、基板ボックス内への不正な電子部品の装着などを目的として基板ボックスを開放する場合には、シール部材を一旦剥がさなければならない。そのため、上記のとおりシール部材を剥がすことに伴い電子タグの破損が生じ、その後の電子タグの使用を不可とすることができる。これにより、不正行為の発見が可能となる。
【０３２１】
以下に、以上の各特徴を適用し得る各種遊技機の基本構成を示す。
【０３２２】
パチンコ遊技機：遊技者が操作する操作手段と、その操作手段の操作に基づいて遊技球を発射する遊技球発射手段と、その発射された遊技球を所定の遊技領域に導く球通路と、遊技領域内に配置された各遊技部品とを備え、それら各遊技部品のうち所定の通過部を遊技球が通過した場合に遊技者に特典を付与する遊技機。
【０３２３】
スロットマシン等の回胴式遊技機：複数の絵柄を可変表示させる絵柄表示装置を備え、始動操作手段の操作に起因して前記複数の絵柄の可変表示が開始され、停止操作手段の操作に起因して又は所定時間経過することにより前記複数の絵柄の可変表示が停止され、その停止後の絵柄に応じて遊技者に特典を付与する遊技機。
【符号の説明】
【０３２４】
１０…パチンコ機、９２…主制御装置、１０１…主制御基板、１０２…基板ボックス、１３８…識別用部材としての証紙ラベル、１６０…封印シール、１６１…ベースシート、１６２…粘着層、１６３…識別用部材としてのＩＣタグ、１７１…ＩＣチップ、１７２…アンテナ部材、３０１…ホール側リーダ装置、３１１…データサーバ、３２２…流通確認用リーダ装置、３２３…流通確認用コンピュータ、３３１…販社組合側の通信部、３４１…メーカ組合側の通信部、３５１…確認証明シール、３５１ａ〜３５１ｄ…表示部、Ｈ１，Ｈ２…遊技ホール、Ｍ１，Ｍ２…製造メーカ、ＭＧ…メーカの管理組合、ＳＣ…販売会社、ＳＧ…販売会社の管理組合。
【図１】
2011000390.tif 000003
【図２】
2011000390.tif 000004
【図３】
2011000390.tif 000005
【図４】
2011000390.tif 000006
【図５】
2011000390.tif 000007
【図６】
2011000390.tif 000008
【図７】
2011000390.tif 000009
【図８】
2011000390.tif 000010
【図９】
2011000390.tif 000011
【図１０】
2011000390.tif 000012
【図１１】
2011000390.tif 000013
【図１２】
2011000390.tif 000014
【図１３】
2011000390.tif 000015
【図１４】
2011000390.tif 000016
【図１５】
2011000390.tif 000017
【図１６】
2011000390.tif 000018
【図１７】
2011000390.tif 000019
【図１８】
2011000390.tif 000020
【図１９】
2011000390.tif 000021
【図２０】
2011000390.tif 000022
【図２１】
2011000390.tif 000023
【図２２】
2011000390.tif 000024
【図２３】
2011000390.tif 000025
【図２４】
2011000390.tif 000026
【図２５】
2011000390.tif 000027
【図２６】
2011000390.tif 000028
【図２７】
2011000390.tif 000029
【図２８】
2011000390.tif 000030
【図２９】
2011000390.tif 000031
【図３０】
2011000390.tif 000032